(57)【要約】【課題】内部構造を複雑化することなく、遊技後に残存した遊技用価値を会員カードを所持しない遊技者に対しても返却することができる遊技用装置を提供すること。【解決手段】受付けたカード形状の会員カードの残存度数を用いて遊技媒体の貸出を行うことができるようにするとともに、会員カードが受付けられていないときに貨幣を受付け可能とし、該受付けた貨幣の識別金額の範囲内の所定額に相当する度数を、円盤形状のビジタコインの遊技用価値特定情報から特定可能とし、該ビジタコインの遊技用価値特定情報から特定される度数の少なくとも一部を用いて遊技媒体の貸出を行うことができるようにするとともに、ビジタコインに度数が残存するときに返却操作を受付けたとき、ビジタコインを自重による転動にて返却口に返却させるようにした。【選択図】図５
2010259849.tif 000002
【特許請求の範囲】
【請求項１】
遊技場内に設置された遊技機に対応して設けられ、
遊技に使用可能な遊技用価値の大きさを特定可能な遊技用価値特定情報と会員遊技者を個々に特定可能な会員識別情報とが記録されたカード形状を為す会員用記録媒体を受付けて、該受付けた会員用記録媒体に記録されている前記遊技用価値特定情報並びに会員識別情報を読み出す会員用記録媒体読み出し手段と、
該会員用記録媒体読み出し手段にて読み出した前記遊技用価値特定情報から特定される遊技用価値の大きさの少なくとも一部を遊技に使用させるとともに、該使用させる遊技用価値の大きさを減算更新した新たな遊技用価値の大きさを前記遊技用価値特定情報から特定可能とする会員遊技使用処理を行う会員遊技使用処理手段と、
貨幣を受付けて、該受付けた貨幣の真贋と貨幣種別とを識別する貨幣識別手段と、
遊技に使用可能な遊技用価値の大きさを特定可能な遊技用価値特定情報が記録された円盤状の円盤型記録媒体を受付け、該受付けた円盤型記録媒体に記録されている前記遊技用価値特定情報の少なくとも読み出しを行う円盤型記録媒体読み出し手段と、
前記貨幣識別手段にて貨幣を受付けたときに、該貨幣識別手段にて識別された識別金額の範囲内の所定額に相当する遊技用価値の大きさを、前記円盤型記録媒体読み出し手段に保持している前記円盤型記録媒体の遊技用価値特定情報から特定可能とする遊技用価値特定可能化処理手段と、
前記円盤型記録媒体読み出し手段にて読み出した前記遊技用価値特定情報から特定される遊技用価値の大きさの少なくとも一部を遊技に使用させるとともに、該使用させる遊技用価値の大きさを減算更新した新たな遊技用価値の大きさを前記遊技用価値特定情報から特定可能とする非会員遊技使用処理を行う非会員遊技使用処理手段と、
前記円盤型記録媒体を返却するための返却操作を遊技者より受付けるための返却操作手段と、
前記円盤型記録媒体の遊技用価値特定情報から特定される遊技用価値の大きさが残存するときに、前記返却操作手段にて返却操作を受付けたことに基づいて、前記円盤型記録媒体読み出し手段に保持している円盤型記録媒体を遊技者に返却するための返却手段と、
を備え、
前記返却手段は、
前記円盤型記録媒体読み出し手段における円盤型記録媒体の保持を解除する解除手段と、
該解除手段にて保持を解除された円盤型記録媒体を自重による転動にて返却口へ導くための返却通路と、を有することを特徴とする遊技用装置。
【発明の詳細な説明】
【技術分野】
【０００１】
本発明は、例えばカードユニット等で代表される遊技用装置に係わり、特に遊技場内に設置された遊技機に対応して設けられる遊技用装置に関する。
【背景技術】
【０００２】
従来、この種のカードユニット等に代表される遊技用装置としては、例えば所有者が特定される会員カードの記録情報から特定されるカード残高を用いて玉貸処理を行うとともに、会員カードが受付けられていないときに貨幣を受付けたときには、受付けた貨幣額の範囲内における所定額に相当するカード残額を所有者が特定されないビジターカードの記録情報により特定可能にするための処理を行った後に該ビジターカードを発行し、該発行したビジターカードの記録情報から特定されるカード残高を用いて玉貸処理を行うもの等があった（例えば、特許文献１参照）。
【先行技術文献】
【特許文献】
【０００３】
【特許文献１】特開２００２−２７３０２０号公報（第４頁、第４−５図）
【発明の概要】
【発明が解決しようとする課題】
【０００４】
しかしながら、上記特許文献1に記載されるような遊技用装置にあっては、発行したビジタコインの記録情報から特定されるカード残高を用いた玉貸処理において、カード残高が全額一括的に用いられるようになっていたが、例えば１００００円等の高額紙幣の入金を可能とし、カード残高の一部のみを用いた玉貸処理を行うことができるようにする場合、ビジターカードのカード残高が０でない状態で遊技者が遊技を終了する際には、ビジターカードのカード残高を精算できるようにする必要がある。
【０００５】
この場合、カード残高を例えばカードユニットとは別個に設けられた精算機等において精算できるようにビジターカードを遊技者に返却できるようにする必要があるが、上記特許文献1において用いられている所有者が特定されない記録媒体（ビジターカード）はカード型の記録媒体であるため、例えばビジターカードを、該ビジターカードの記録情報を読み取るためのカードリーダライタやカード返却口まで搬送するための搬送ベルト等の搬送機構を遊技用装置内に設ける必要があるため、構造が複雑化するといった問題を有していた。
【０００６】
本発明は、このような問題点に着目してなされたもので、内部構造を複雑化することなく、遊技後に残存した遊技用価値を会員カードを所持しない遊技者に対しても返却することができる遊技用装置を提供することを目的とする。
【課題を解決するための手段】
【０００７】
上記課題を解決するために、本発明の請求項１に記載の遊技用装置は、
遊技場内に設置された遊技機に対応して設けられ、
遊技に使用可能な遊技用価値の大きさを特定可能な遊技用価値特定情報と会員遊技者を個々に特定可能な会員識別情報とが記録されたカード形状を為す会員用記録媒体を受付けて、該受付けた会員用記録媒体に記録されている前記遊技用価値特定情報並びに会員識別情報を読み出す会員用記録媒体読み出し手段と、
該会員用記録媒体読み出し手段にて読み出した前記遊技用価値特定情報から特定される遊技用価値の大きさの少なくとも一部を遊技に使用させるとともに、該使用させる遊技用価値の大きさを減算更新した新たな遊技用価値の大きさを前記遊技用価値特定情報から特定可能とする会員遊技使用処理を行う会員遊技使用処理手段と、
貨幣を受付けて、該受付けた貨幣の真贋と貨幣種別とを識別する貨幣識別手段と、
遊技に使用可能な遊技用価値の大きさを特定可能な遊技用価値特定情報が記録された円盤状の円盤型記録媒体を受付け、該受付けた円盤型記録媒体に記録されている前記遊技用価値特定情報の少なくとも読み出しを行う円盤型記録媒体読み出し手段と、
前記貨幣識別手段にて貨幣を受付けたときに、該貨幣識別手段にて識別された識別金額の範囲内の所定額に相当する遊技用価値の大きさを、前記円盤型記録媒体読み出し手段に保持している前記円盤型記録媒体の遊技用価値特定情報から特定可能とする遊技用価値特定可能化処理手段と、
前記円盤型記録媒体読み出し手段にて読み出した前記遊技用価値特定情報から特定される遊技用価値の大きさの少なくとも一部を遊技に使用させるとともに、該使用させる遊技用価値の大きさを減算更新した新たな遊技用価値の大きさを前記遊技用価値特定情報から特定可能とする非会員遊技使用処理を行う非会員遊技使用処理手段と、
前記円盤型記録媒体を返却するための返却操作を遊技者より受付けるための返却操作手段と、
前記円盤型記録媒体の遊技用価値特定情報から特定される遊技用価値の大きさが残存するときに、前記返却操作手段にて返却操作を受付けたことに基づいて、前記円盤型記録媒体読み出し手段に保持している円盤型記録媒体を遊技者に返却するための返却手段と、
を備え、
前記返却手段は、
前記円盤型記録媒体読み出し手段における円盤型記録媒体の保持を解除する解除手段と、
該解除手段にて保持を解除された円盤型記録媒体を自重による転動にて返却口へ導くための返却通路と、を有することを特徴としている。
この特徴によれば、円盤型記録媒体の遊技用価値特定情報から特定される遊技用価値の大きさが残存するときに返却操作手段にて返却操作を受付けたことに基づいて、解除手段により円盤型記録媒体読み出し手段における保持状態を解除すると、円盤型記録媒体は返却通路により自重による転動にて返却口に導かれて返却されることで、円盤型記録媒体を返却口まで搬送するための搬送機構等を設ける必要がないため、遊技用装置の構造を複雑化することなく、遊技後に残存した遊技用価値を会員用記録媒体を所持しない遊技者に対しても返却することができる。
【０００８】
本発明の請求項２に記載の遊技用装置は、請求項１に記載の遊技用装置であって、
複数の前記円盤型記録媒体を収納するための円盤型記録媒体収納部と、
該円盤型記録媒体収納部に収納されている円盤型記録媒体を前記円盤型記録媒体読み出し手段に供給するための供給手段と、
を備え、
前記供給手段は、前記円盤型記録媒体収納部に収納された円盤型記録媒体の収納状態を解除する収納解除手段と、該収納状態を解除された円盤型記録媒体を自重による転動にて前記円盤型記録媒体読み出し手段へ導くための供給通路とを含むことを特徴としている。
この特徴によれば、遊技用装置内には複数枚の円盤型記録媒体が収納され、円盤型記録媒体収納部から円盤型記録媒体が円盤型記録媒体読み出し手段に供給されるようになっているため、遊技場の店員等が遊技用装置に円盤型記録媒体を補充する手間等を低減できるばかりか、収納されている円盤型記録媒体は供給通路により自重による転動にて円盤型記録媒体読み出し手段に導かれて供給されることで、円盤型記録媒体を円盤型記録媒体読み出し手段まで搬送するための搬送機構等を設ける必要がないため、遊技用装置の構造が簡素化される。
【０００９】
本発明の請求項３に記載の遊技用装置は、請求項２に記載の遊技用装置であって、
前記円盤型記録媒体の投入を受付ける投入口と、
前記投入口から投入された円盤型記録媒体に記録されている前記遊技用価値特定情報の少なくとも読み出しを行う受付け用記録媒体読み出し手段と、
該投入口から投入された円盤型記録媒体を前記受付け用記録媒体読み出し手段に導くための受付け通路と、
を備え、
前記非会員遊技使用処理手段は、前記受付け用記録媒体読み出し手段にて読み出した遊技用価値特定情報に基づいて前記非会員遊技使用処理を行い、
前記受付け通路と前記円盤型記録媒体収納部と前記供給通路とが連通する一本状の通路により形成され、
前記投入口から投入された円盤型記録媒体の遊技用価値特定情報から特定された遊技用価値の大きさが残存するときに前記返却操作を受付けたことに基づいて、該残存する遊技用価値の大きさを前記円盤型記録媒体読み出し手段にて保持する円盤型記録媒体の遊技用価値特定情報から特定可能とするための記録媒体交換処理を実施する記録媒体交換処理手段を備え、
該記録媒体交換処理後において前記円盤型記録媒体読み出し手段に保持されている円盤型記録媒体を、前記返却手段により遊技者に返却することを特徴としている。
この特徴によれば、遊技用価値の大きさが残存する円盤型記録媒体を受付けて非会員遊技使用処理を実施可能とするときに、該受付けた円盤型記録媒体を返却するための返却通路と、円盤型記録媒体収納部に収納された円盤型記録媒体を返却するための返却通路とをそれぞれ別々に設ける必要がないため、遊技用装置の構造が簡素化される。
【００１０】
本発明の請求項４に記載の遊技用装置は、請求項３に記載の遊技用装置であって、
前記遊技用価値特定情報は遊技用価値の大きさを含み、
前記受付け用記録媒体読み出し手段並びに前記円盤型記録媒体読み出し手段は、円盤型記録媒体への記録情報の書き込み機能を有し、
前記記録媒体交換処理手段は、投入された円盤型記録媒体に記録されている遊技用価値の大きさを前記受付け用記録媒体読み出し手段にて初期化したことを条件に、前記円盤型記録媒体読み出し手段にて保持する円盤型記録媒体に、前記残存する遊技用価値の大きさを記録することを特徴としている。
この特徴によれば、円盤型記録媒体に遊技用価値の大きさの情報が書き込まれる場合でも、遊技用価値の大きさが書き込まれた円盤型記録媒体を円盤型記録媒体読み出し手段から返却させるとともに、受付た遊技用価値の大きさが残存する円盤型記録媒体を引き抜く等の不正行為により遊技場が損害を被ること等を防止できる。
【００１１】
本発明の請求項５に記載の遊技用装置は、請求項１〜４のいずれかに記載の遊技用装置であって、
前記円盤型記録媒体読み出し手段は、前記会員用記録媒体が配置される会員用記録媒体配置部と、円盤型記録媒体が配置される円盤型記録媒体配置部とを、各記録媒体配置部に配置される各記録媒体が所定の離間距離を有してほぼ並行に配置されるように設けるとともに、前記各記録媒体の読み出し又は書き込みを非接触にて行うための単一の記録媒体処理部を、前記会員用記録媒体配置部と円盤型記録媒体配置部との間に有することを特徴としている。
この特徴によれば、会員用記録媒体読み出し手段と円盤型記録媒体読み出し手段とを別々に設ける場合に比べ、構造をより簡素化できる。
【図面の簡単な説明】
【００１２】
【図１】本発明の遊技用装置としてのカードユニット並びにパチンコ機を示す正面図である。
【図２】（ａ）は会員カードを示す図であり、（ｂ）はビジタコインを示す図である。
【図３】パチンコ機の上皿３２の一部を示す平面図である。
【図４】カードユニットの内部構造を示す側面図である。
【図５】同じくカードユニットの内部構造を示す概略側面図である。
【図６】図５のＡ−Ａ断面図である。
【図７】（ａ）〜（ｄ）はビジタコインのカードリーダライタへの供給状況を示す図である。
【図８】カードユニット並びにパチンコ機の構成を示すブロック図である。
【図９】カードユニットが行う制御内容を示すメインフローチャートである。
【図１０】貸出処理の制御内容を示すフローチャートである。
【図１１】追加入金処理の制御内容を示すフローチャートである。
【図１２】再プレイ処理の制御内容を示すフローチャートである。
【図１３】ビジタコイン発行処理の制御内容を示すフローチャートである。
【図１４】ビジタコイン使用処理の制御内容を示すフローチャートである。
【図１５】変形例としてのカードユニットの内部構造を示す概略側面図である。
【発明を実施するための形態】
【００１３】
本発明の実施例を以下に説明する。
【実施例】
【００１４】
図１は、遊技機であるカードリーダ式パチンコ機（以下パチンコ機）２並びに該パチンコ機２に対して１対１に対応して設置される遊技用装置としてのカードユニット３の正面図が示されており、これらパチンコ機２並びにカードユニット３は、遊技場に配設される図示しない遊技機設置島に複数設置されている。
【００１５】
初めに、本実施例にて使用される記録媒体である会員カード３７並びにビジタコイン３８について説明すると、本実施例では、図２（ａ）、図２（ｂ）に示すように、予め会員登録をした会員遊技者に対して発行されるカード形状をなす会員カード３７と、前記カードユニット３内に収納されているコイン形状をなすビジタコイン３８と、の形状が異なる２種類の記録媒体を用いられるようになっている。
【００１６】
まず、会員カード３７について説明すると、該会員カード３７には、図２（ａ）に示すように、略長方形のカード型に形成されているとともに、その中央位置に、非接触にて記録データの入出力（送受信）を行うための円形状とされたアンテナコイル８３と、記録データを電気的に書き換え可能に記憶する集積回路（ＩＣ）８４とが設けられており、これら会員カード３７は、前記カードユニット３内に設けられている後述するカードリーダライタ３２７に挿入されることで、該カードリーダライタ３２７から出力される電磁波が前記アンテナコイル８３に誘導起電力を生じさせて前記集積回路８４が動作可能に付勢されるとともに、前記アンテナコイル８３を介して前記カードリーダライタ３２７との各種のデータ送受を電磁波により非接触にて実施可能とされている。
【００１７】
また、これら会員カード３７における集積回路８４の内部メモリには、各会員カード３７を個別に識別可能な遊技用価値特定情報としての会員カードＩＤや、各会員を識別可能な会員識別情報としての会員ＩＤ、当該会員カード３７が発行された発行店等の情報が書き換え不可に記録されているとともに、前記カードリーダライタ３２７とのデータ通信により、後述する追加入金処理の際に付与される入金ＩＤや遊技用価値としての度数｛金額を１００で除した値（本実施例では１度数＝１００円）｝、最後に追加入金処理がなされたカードユニット３（入金装置）の装置ＩＤ、当該会員カード３７を所持する会員の氏名（名字及び名前）や性別、年齢、誕生日、職業等、当該会員カードを所持する会員遊技者に関する会員帰属情報等の情報が書き換え可能に記録されている。
【００１８】
この本実施例の会員カード３７の一面には、図２（ａ）に示すように、磁気ストライプ８５が形成されており、該磁気ストライプ８５に前記会員ＩＤが記録されていて、該磁気ストライプ８５を読み取ることで、前記集積回路８４との通信を行うことなく、会員ＩＤを読み取ることができるようになっている。
【００１９】
次いで、本実施例にて用いたビジタコイン３８について説明すると、該ビジタコイン３８は、図２（ｂ）に示すように円盤形状をなすコイン型の記録媒体として形成されており、円形の表裏面がほぼ垂直方向を向く縦向きの姿勢において、円周面を介して後述する各種通路内を自重により転動するように構成されている。このビジタコイン３８の略中央部には、前記会員カード３７におけるアンテナコイル８３並びに集積回路８４と同一構成とされたアンテナコイル９１並びに集積回路９２が設けられた非接触ＩＣカードを使用しており、前記会員カード３７同様にカードリーダライタ３２７との各種のデータ送受を電磁波により非接触にて実施可能とされている。
【００２０】
また、これらビジタコイン３８における集積回路９２の内部メモリには、各ビジタコイン３８を個別に識別可能なシリアル番号や遊技用価値特定情報としてのビジタコインＩＤ並びに当該ビジタコイン３８が使用される使用店等が書き換え不可に記録されているとともに、前記カードリーダライタ３２７とのデータ通信により、会員カード３７の未挿入時にカードユニット３に投入される金額に該当する大きさの遊技用価値である度数｛金額を１００で除した値（本実施例では１度数＝１００円）｝や、当該カードユニット３の装置ＩＤ、並びに書き換え回数情報等の情報等が書き換え可能に記録される。
【００２１】
次に、本実施例の遊技用装置としてのカードユニット３について説明する。尚、本実施例のカードユニット３は、遊技場内に設置され、該カードユニット３において使用される会員カード３７やビジタコイン３８に記録されている遊技用価値特定情報となる会員カードＩＤやビジタコインＩＤに対応付けて、該会員カード３７やビジタコイン３８に残存する遊技用価値である度数を記憶、管理する図示しないシステムコントローラとハブ（ＨＵＢ）７（図８参照）並びに図示しない中継器並びに通信ケーブル８（図８参照）を介して双方向のデータ通信を実施できるように接続されているとともに、会員カード３７を所持する各会員遊技者が遊技に再度使用できる貯蓄玉数（貯玉）を、会員カード３７に記録されている会員ＩＤに対応付けて記憶、管理する図示しない会員管理コンピュータとも、ハブ（ＨＵＢ）７（図８参照）並びに図示しない中継器並びに通信ケーブル８（図８参照）を介して双方向のデータ通信を実施できるように接続されている。
【００２２】
本実施例のカードユニット３の前面には、図１に示すように、その最上部位置にはカードユニット３の動作や前記システムコントローラ（図示略）並びに会員管理コンピュータ（図示略）との通信不可能状態（オフライン状態）を含む通信状態や、後述する各種エラー状況等を点灯色の違いにより報知する動作ランプ３０１が設けられており、遊技場の係員等がカードユニット３内部やシステムコントローラ並びに会員管理コンピュータとの通信不可能状態（オフライン状態）の発生や後述する制御ユニット３２８が行う各種処理において発生したエラーを認識できるようになっている。
【００２３】
動作ランプ３０１の下方位置には、紙幣を挿入可能とされた紙幣挿入口３０２が設けられていて、遊技者は貨幣としての紙幣（１万円、５千円、２千円、千円の各紙幣）を挿入できるようになっている。紙幣挿入口３０２の下方位置には、前記ビジタコイン３８が投入可能なコイン投入口３０３が設けられており、度数が残存するビジタコイン３８を投入することで、後述するように、該投入されたビジタコインの残存度数を用いてパチンコ玉の貸出を行うことができるようになっている。
【００２４】
コイン投入口３０３の下方位置には、オフライン状態における会員カード３７の受付けが不可であることを、消灯により遊技者に報知するための会員カード利用可ランプ３０５と、後述する貸出処理における貸出単位｛１回の貸出処理で貸し出されるパチンコ玉数に相当する度数（本実施例ではデフォルトで５度数が設定）｝を変更するための貸出単位変更ボタン３０６と、前記貸出単位等が表示される貸出単位表示部３０７と、後述の度数表示部３０９の表示内容を度数の端数表示等に変更表示させるための端数ボタン３０８と、前記会員カード３７やビジタコイン３８から読み出された度数等が表示される度数表示部３０９と、対応する遊技機の連結方向を示す方向指示ランプ３１１と、後述するカードリーダライタ３２７に会員カード３７が挿入中である旨を示す挿入中ランプ３１２と、を有する操作パネルが設けられており、遊技者が各種操作を実施可能とされている。
【００２５】
この操作パネルの下部位置には、受付け中の会員カード３７に記録された会員ＩＤから特定される貯蓄玉数に基づく再プレイ可能回数等が表示される会員カード用表示部３１４と、暗証番号等の入力を行うテンキー３１５と、該テンキー３１５にて入力した暗証番号を決定する場合や前記貯蓄玉数のうちの所定の玉数払戻を実施するためのエンターキー３１７と、会員カード３７を受付け時において該会員カード３７に記録された度数を用いて遊技を実施するか、若しくは該会員カード３７の会員ＩＤにより特定される貯蓄玉数を用いて再プレイ遊技を実施するかを選択するプレイ選択ボタン３１６とが設けられた会員操作パネルが設けられており、会員遊技者が会員カード３７を挿入することで操作を実施できるようになっている。
【００２６】
会員操作パネルの下方には、前記会員カード３７を挿入するための会員カード挿入口３１９と、後述するようにカードリーダライタ３２７にて記録情報の読み出し及び書き込みが可能な状態に保持されたビジタコイン３８をカードユニット３の外部から透視可能なビジタコイン透視窓３１８とが、遊技者から見て左右方向に並設されている。会員カード挿入口３１９は、カードリーダライタ３２７における後述する会員カードスロット３５４（図６参照）に連設されており、該会員カード挿入口３１９を介して会員カード３７を会員カードスロットに挿入可能とされている。また、後述する供給通路１０２の保持位置Ｔ２（図５参照）にビジタコイン３８が保持された際には、該保持されたビジタコイン３８がビジタコイン透視窓３１８を透して遊技者から視認できるようになっている。
【００２７】
会員カード挿入口３１９並びにビジタコイン透視窓３１８の下方位置には、会員カード３７が受付けられていない状態においてカードリーダライタ３２７に保持されているビジタコイン３８に度数が残存する場合において、当該カードユニット３に対応するパチンコ機２の上皿３２の所定箇所に設けられた返却操作手段としての返却ボタン１５（図３参照）が操作されたときにおいて前記ビジタコイン３８が返却されるビジタコイン返却口３１３並びに該ビジタコイン返却口３１３を下方から覆うように突設形成され、該ビジタコイン返却口３１３より排出されたコインの落下を防止する受部３１３’が設けられている。
【００２８】
次に、本実施例に用いたカードユニット３の構成を図４、図５並びに図８に基づいて説明すると、該カードユニット３には、最上部前面位置に設けられている動作ランプ３０１が接続されるとともに、前記会員カード利用可ランプ３０５や貸出単位変更ボタン３０６、貸出単位表示部３０７、端数ボタン３０８、度数表示部３０９、方向指示ランプ３１１、挿入中ランプ３１２、前記貸出単位表示部３０７や度数表示部３０９の表示ドライバ（図示略）等が実装され、これら各部と後述する制御ユニット３２８との制御信号の入出力等が行われる第１操作基板３２０と、会員カード受付中表示部３４５並びにＬＥＤモジュール３４６が接続されるとともに、前記会員カード用表示部３１４やテンキー３１５、プレイ選択ボタン３１６、エンターキー３１７、前記会員カード用表示部３１４の表示ドライバ（図示略）等が実装され、これら各部と前記制御ユニット３２８との制御信号の入出力等が行われる第２操作基板３２１とが設けられており、これら第１操作基板３２０並びに第２操作基板３２１は、カードユニット３の前面パネルに沿って配置されている（図４参照）。
【００２９】
図４に示されるように、装置内の上部位置には、前記紙幣挿入口３０２に連設され、該紙幣挿入口３０２に投入された紙幣を取り込んでその真贋や紙幣種別の識別を実施し、その識別結果を装置中央部に設けられている後述の制御ユニット３２８に出力する貨幣識別手段としての紙幣識別ユニット３２２が設けられており、各種紙幣（１万円、５千円、２千円、千円の各紙幣）の受付が可能とされている。
【００３０】
該紙幣識別ユニット３２２の下方位置には、図４及び図５に示されるように、カードユニット３の前面に設けられたコイン投入口３０３から投入された円盤型記録媒体としてのビジタコイン３８を受付け用記録媒体読み出し手段としてのコインリーダライタ３２４に導くための受付け通路を構成するコイン投入通路１００に連設され、前記コイン投入口３０３より投入されたビジタコイン３８に記録されている記録情報の読み出し並びに書き込みを行うコインリーダライタ３２４が設けられている。
【００３１】
コイン投入通路１００は、コイン投入口３０３から投入されたビジタコイン３８を縦向きの姿勢で通路内を自重による転動にて流下させることができる断面略縦長角形状をなす通路として形成されている。
【００３２】
また、コイン投入通路１００における上流側端部のコイン投入口３０３近傍には、ビジタコイン３８の投入（受付け）を不可とするための投入規制片１３０と、該投入規制片１３０をコイン投入通路１００内に出退自在とするソレノイド１３１と、が設けられている。
【００３３】
コインリーダライタ３２４の下面からは、該コインリーダライタ３２４から排出された複数の円盤型記録媒体としてのビジタコイン３８を収納するための円盤型記録媒体収納部としての収納通路１０１が下方に向けて延設されており、該収納通路１０１の下端部には、該収納通路１０１に収納されているビジタコイン３８を後述する円盤型記録媒体読み出し手段としてのカードリーダライタ３２７に１枚ずつ供給するための供給手段としての供給ユニット３２３が設けられている。
【００３４】
供給ユニット３２３の下方には、遊技に使用可能な遊技用価値の大きさとしての度数を特定可能な遊技用価値特定情報である会員カードＩＤと会員遊技者を個々に特定可能な会員識別情報としての会員ＩＤとが記録されたカード形状を為す会員用記録媒体としての会員カード３７を受付けて、該受付けた会員カード３７に記録されている遊技用価値特定情報としての会員カードＩＤ並びに会員識別情報としての会員ＩＤ並びに度数情報を読み出す会員用記録媒体読み出し手段、並びに遊技に使用可能な遊技用価値の大きさとしての度数を特定可能な遊技用価値特定情報としてのビジタコインＩＤ並びに度数情報が記録された円盤状の円盤型記録媒体としてのビジタコイン３８を受付け、該受付けたビジタコイン３８に記録されている遊技用価値特定情報としてのビジタコインＩＤ並びに度数の少なくとも読み出しを行う円盤型記録媒体読み出し手段を構成するカードリーダライタ３２７が設けられている。
【００３５】
供給ユニット３２３とカードリーダライタ３２７との間には、前記収納通路１０１内のビジタコイン３８を自重による転動にてカードリーダライタ３２７に供給するための供給手段の一部を構成する供給通路１０２が延設されているとともに、カードリーダライタ３２７とコイン返却口３１３との間には、カードリーダライタ３２７にて保持を解除されたビジタコイン３８を自重による転動にてコイン返却口３１３へ導くための返却通路１０３が延設されており、これら収納通路１０１、供給通路１０２、返却通路１０３とは互いに連通する１本状の通路として形成されている。
【００３６】
カードユニット３の略中央部位置には、特に図８に示されるように、貨幣識別手段である前記紙幣識別ユニット３２２や前記収納通路１０１に設けられる上限検出センサ１０５や下限検出センサ１０６に接続され、該紙幣識別ユニット３２２との各種信号の入出力や各種センサ１０５、１０６からの信号の入力を行うＩ／Ｏポート３３２ａや、前記カードリーダライタ３２７に接続され、該カードリーダライタ３２７との各種データの送受を行うためのＩ／Ｏポート３３２ｄ、前記第１操作基板３２０並びに前記第２操作基板３２１に接続されて各種信号の入出力を行うＩ／Ｏポート３３２ｂ、前記パチンコ機２の賞球制御基板２３７や上皿３２内部に設けられた操作基板１８との各種信号の入出力を行うＩ／Ｏポート３３２ｃ、前記ハブ７並びに通信ケーブル８を介して会員管理コンピュータとのデータ通信を行うための通信部３３４、対応するパチンコ機２の上方位置に設置された外部機器としての呼出ランプ４（図１参照）に接続され、該呼出ランプ４に対して該呼出ランプ４を点灯させるための点灯指示信号を出力するとともに、パチンコ機２の上部に設けられた補給球計数器２４並びにパチンコ機２の下部に設けられたアウト球計数器２６より出力された計数信号や前記パチンコ機２の情報出力部２９８から出力される大当り情報やプレミアム発生情報等の各種遊技情報の出力を受付けるデータ入出力部３３６、これらカードユニット３を構成する各部の制御等を実施するＭＰＵ３２９、ワークメモリ等として使用されるＲＡＭ３３０、前記ＭＰＵ３２９が実行する制御内容が記述された制御プログラム等が記憶されたＲＯＭ３３１等が設けられた制御ユニット３２８が設けられており、これら各部は図８に示すように接続されていて、前記ＭＰＵ３２９が実行する制御プログラムにより、カードユニット３を構成する各部の動作が制御される。
【００３７】
なお、前記パチンコ機２の賞球制御基板２３７からは、後述の台端末貸出完了信号（ＥＸＳ）や台ＲＥＡＤＹ信号（ＰＲＤＹ）が制御ユニット３２８に出力されるようになっているとともに、賞球制御基板２３７には、前記カードユニット３の制御ユニット３２８より出力される後述のカードユニットＲＥＡＤＹ信号（ＢＲＤＹ）や台端末貸出要求完了確認信号（ＢＲＱ）が入力されるようになっている。
【００３８】
尚、前記パチンコ機２の上皿３２内部に設けられた操作基板１８には、図３に示されるように、カードユニット３において前記会員カード３７或いはビジタコイン３８より読み出された度数が表示される度数表示部１７と、遊技の開始または持玉が少なくなったか或いは無くなった際に押圧操作されることで、前記度数表示部１７に度数が存在する場合に所定数量のパチンコ玉の貸出がパチンコ機２より実施される貸出ボタン１６と、遊技の終了時等にて前記カードユニット３に受付け中の会員カード３７やビジタコイン３８を返却するための返却操作を遊技者より受付けるための返却操作手段としての返却ボタン１５と、が設けられており、前記度数表示部１７の表示は前記ＭＰＵ３２９により制御される。
【００３９】
また、本実施例における制御ユニット３２８は、会員用記録媒体読み出し手段としてのカードリーダライタ３２７にて読み出した遊技用価値特定情報としての会員カードＩＤから特定される遊技用価値の大きさとしての度数の少なくとも一部を遊技に使用させるとともに、該使用させる遊技用価値の大きさとしての度数を減算更新した新たな遊技用価値の大きさとしての度数を前記遊技用価値特定情報としての会員カードＩＤから特定可能とする後述する貸出処理（会員遊技使用処理）を行う会員遊技使用処理手段を構成している。
【００４０】
また、本実施例における制御ユニット３２８は、会員カード３７を受付けられていない状態において貨幣識別手段としての紙幣識別ユニット３２２にて貨幣（紙幣）を受付けたときに、該紙幣識別ユニット３２２にて識別された識別金額の範囲内の所定額に相当する遊技用価値の大きさとしての度数を、円盤型記録媒体読み出し手段としてのカードリーダライタ３２７に保持している円盤型記録媒体としてのビジタコイン３８の遊技用価値特定情報としてのビジタコインＩＤから特定可能とする後述するビジタコイン発行処理（遊技用価値特定可能化処理）を行う遊技用価値特定可能化処理手段を構成している。
【００４１】
また、本実施例における制御ユニット３２８は、円盤型記録媒体読み出し手段としてのカードリーダライタ３２７にて保持しているビジタコイン３８から読み出した遊技用価値特定情報としてのビジタコインＩＤから特定される遊技用価値の大きさとしての度数の少なくとも一部を遊技に使用させるとともに、該使用させる遊技用価値の大きさとしての度数を減算更新した新たな遊技用価値の大きさとしての度数を遊技用価値特定情報から特定可能とする後述するビジタコイン使用処理における（発行）貸出処理（非会員遊技使用処理）を行う非会員遊技使用処理手段を構成している。
【００４２】
また、本実施例における制御ユニット３２８は、円盤型記録媒体としてのビジタコイン３８の遊技用価値特定情報としてのビジタコインＩＤから特定される遊技用価値の大きさとしての度数が残存するときに、返却操作手段としての返却ボタン１５にて返却操作を受付けたことに基づいて、円盤型記録媒体読み出し手段としてのカードリーダライタ３２７に保持しているビジタコイン３８を遊技者に返却するための返却処理（ビジタコイン使用処理）を行う返却手段を構成している。
【００４３】
また、本実施例における制御ユニット３２８は、コイン投入口３０３から投入された円盤型記録媒体としてのビジタコイン３８の遊技用価値特定情報としてのビジタコインＩＤから特定された遊技用価値の大きさとしての度数が残存するときに返却ボタン１５の返却操作を受付けたことに基づいて、該残存する遊技用価値の大きさとしての残存度数を円盤型記録媒体読み出し手段としてのカードリーダライタ３２７にて保持するビジタコイン３８の遊技用価値特定情報としてのビジタコインＩＤから特定可能とするための記録媒体交換処理（ビジタコイン使用処理）を実施するとともに、該記録媒体交換処理後においてカードリーダライタ３２７に保持されているビジタコイン３８を、返却手段により遊技者に返却する処理を行う記録媒体交換処理手段を構成している。
【００４４】
また、本実施例においては、会員カード３８やビジタコイン３８に記録される遊技用価値特定情報は、遊技用価値の大きさとしての度数を含み、受付け用記録媒体読み出し手段としてのコインリーダライタ３２４並びに円盤型記録媒体読み出し手段としてのカードリーダライタ３２７は、円盤型記録媒体としてのビジタコイン３８への記録情報の書き込み機能を有しており、制御ユニット３２８は、投入されたビジタコイン３８に記録されている遊技用価値の大きさとしての度数を受付け用記録媒体読み出し手段としてのコインリーダライタ３２４にて初期化（本実施例では０度数とする）したことを条件に、円盤型記録媒体読み出し手段としてのカードリーダライタ３２７にて保持するビジタコイン３８に、前記残存する遊技用価値の大きさとしての度数を記録する処理（ビジタコイン使用処理）を行う記録媒体交換処理手段を構成している。
【００４５】
また、本実施例における制御ユニット３２８は、カードリーダライタ３２７に受付け中の会員カード３７の残存度数が１０度数以下である状態において、紙幣識別ユニット３２２にて紙幣を受付けたことに基づいて、該紙幣識別ユニット３２２にて識別された識別金額に相当する遊技用価値の大きさとしての度数を、該受付け中の会員カード３７に記録されている遊技用価値特定情報としての会員カードＩＤから特定される遊技用価値の大きさとしての残存度数に加算更新する後述する追加入金処理を行う。
【００４６】
また、本実施例における制御ユニット３２８は、カードリーダライタ３２７に会員カード３７が受付け中であるときにおいてプレイ選択ボタン３１６の操作により再プレイ（払戻）遊技が選択されたことに基づいて、会員カード３７に記録されている会員ＩＤに対応付けて図示しない会員管理コンピュータにて記憶、管理されている貯蓄玉数（貯玉）を使用し、該貯蓄玉数を当該会員遊技者が遊技に再度使用できるようにするための後述する再プレイ処理を行う。
【００４７】
また、本実施例のカードユニット３は、図４に示すように、カードユニット３本体とその上下位置に形成されたユニットホルダ３１’にて係合し、該カードユニット３本体を前面方向に引き出し可能に保持するユニットホルダ３１を介して遊技島に設置されており、カードユニット３の前面下部位置には、シリンダ錠（図示略）が設けられていて、係員等が所持する解錠キーにより施錠を解除することでカードユニット３が引き出しできるようになっている。また、該ユニットホルダ３１には、各種接続ケーブルを中継するためのコネクタが設けられており、前記カードリーダライタ３２７とシステムコントローラとを接続するケーブルや、前記制御ユニット３２８と会員管理コンピュータとを接続するケーブルも、該ユニットホルダ３１を介して中継接続されていて、これらケーブルが前記カードユニット３本体の引き出し時に絡まって、カードユニット３本体が引き出せなくなってしまうことがないように工夫されている。
【００４８】
次に、カードユニット３内に設けられた各種装置や通路の構造の詳細を図４〜図７に基づいて説明する。
【００４９】
まず、紙幣識別ユニット３２２は、図４に示すように、その後端側（図中左側）が紙幣回収路（図示略）を介して遊技島内を横断するように架設された紙幣搬送路（図示略）に連結されている。該紙幣識別ユニット３２２は、会員カード３７が受付中であって、読み出された度数が１０度数以下の場合及び会員カード３７が受付中でないときにおいて紙幣の挿入を受付け、該受付けた紙幣を識別するように前記制御ユニット３２８にて制御される。この識別により受付けた紙幣が正規の紙幣（１０００円紙幣、２０００円紙幣、５０００円紙幣、１００００円紙幣）であると識別した場合には、該識別結果を前記制御ユニット３２８に出力するとともに、該識別した紙幣を前記紙幣搬送路に送り出し、正規の紙幣ではないと識別した場合には受付けた紙幣を返却するようになっている。また、本実施例において前記紙幣識別ユニット３２２は、カードユニット３（カードリーダライタ３２７）とシステムコントローラとが通信不可能状態であるオフライン時の場合や、会員カード３７が受付中であって、該会員カード３７により特定される度数が１１度数以上残存する場合または受付中のビジタコイン３８により特定される度数が残存する場合には、いずれの紙幣も受付けないように制御ユニット３２８にて制御されている。
【００５０】
コインリーダライタ３２４には、図５に示すように、内部まで延設されたコイン投入通路１００内に出退自在に設けられ、通路内に突出した状態において通路内を転動により流下してきたビジタコイン３８を保持位置Ｔ１に保持するとともに、通路内から退避されることで該保持状態を解除可能な保持片１１０と、該保持片１１０を通路に対して出退自在に駆動するソレノイド１１１と、該保持位置Ｔ１にビジタコイン３８が保持されたことを検出するコイン検出センサ１０４と、保持片１１０にて保持位置Ｔ１に保持されたビジタコイン３８とのデータ送受を行う通信基板３５６’（図８参照）が設けられており、後述するカードリーダライタ３２７の制御基板３５７とのデータ通信を実施可能とされている。
【００５１】
コインリーダライタ３２４の下面からは、前記コイン投入通路１００から連設され、複数枚のビジタコイン３８を収納するための円盤型記録媒体収納部としての収納通路１０１が下方に向けて延設されており、コインリーダライタ３２４内における保持片１１０による保持状態が解除されたビジタコイン３８が流下してそのまま収納されるようになっている。なお、後述するように、収納通路１０１には、コイン投入口３０３から投入されるビジタコイン３８に記録されている度数が０度数とされた状態で収納されるようになっている。
【００５２】
また、収納通路１０１の上方所定箇所には、収納通路１０１内に収納されたビジタコイン３８の収納枚数が所定枚数（本実施例では１０枚）以上となったことを検出するための上限検出センサ１０５が設けられているとともに、収納通路１０１の下方所定箇所には、収納通路１０１内に収納されたビジタコイン３８の収納枚数が所定枚数（本実施例では２枚）以下となったことを検出するための下限検出センサ１０６が設けられている。これら検出センサ１０５、１０６からの各検出信号は図８に示されるように制御ユニット３２８に出力されるようになっており、制御ユニット３２８は、これら各検出信号の入力に基づいて、収納通路１０１内におけるビジタコイン３８の収納状況を確認し、例えば動作ランプ３０１を所定の点灯態様にて点灯させることにより、ビジタコイン３８の補充並びに回収が必要な旨を報知するようになっている。
【００５３】
なお、本実施例においては、上限検出センサ１０５及び下限検出センサ１０６双方の検出信号の入力がないことに基づいてビジタコインの補充が報知された場合には、予めカードユニット３に備えられている所定のボタン（例えば貸出単位変更ボタン３０６）を所定操作｛例えば所定時間（例えば２秒以上）長押し｝することで、制御ユニット３２８はビジタコイン補充モードとし、当接規制片１３０並びに保持片１１０をそれぞれ通路内から退避させ、ビジタコイン３８をコイン投入口３０３から補充できるようになっている。
【００５４】
また、上限検出センサ１０５及び下限検出センサ１０６双方の検出信号の入力に基づいてビジタコインの回収が報知された場合には、予めカードユニット３に備えられている所定のボタン（例えば端数ボタン３０８）を所定操作｛例えば所定時間（例えば２秒以上）長押し｝することで、制御ユニット３２８はビジタコイン回収モードとし、供給ユニット３２３を制御して数枚のビジタコイン３８を収納通路１０１内から排出させるとともに、保持片１１２を通路内から退避させ、ビジタコイン３８をコイン返却口３１３に返却させて回収できるようになっている。
【００５５】
なお、本実施例においては、ビジタコイン３８の補充並びに回収を既存の装置を制御するとともに、既存の通路を利用して行うことができるようにしていたが、例えばカードユニット３の一部を開放したり、補充用の通路や回収用の通路を別途設けて収納通路１０１内に直接ビジタコインを補充あるいは回収できるようにしても良い。
【００５６】
また、収納通路１０１内に収納可能とするビジタコインの収納枚数は任意であり、例えば収納通路１０１を流下方向に向けて蛇行させること等によりより多くのビジタコインを収納出来るようにしてもよい。
【００５７】
収納通路１０１の下部には、該収納通路１０１内に収納されている円盤型記録媒体であるビジタコイン３８を円盤型記録媒体読み出し手段としてのカードリーダライタ３２７に供給するための供給手段としての供給ユニット３２３が設けられている。
【００５８】
供給ユニット３２３は、円盤型記録媒体収納部としての収納通路１０１に収納されたビジタコイン３８の収納状態を解除する収納解除手段としてのスプロケット１２０と、該収納状態を解除されたビジタコイン３８を自重による転動にて下流側の円盤型記録媒体読み出し手段としてのカードリーダライタ３２７へ導くための供給通路１０２と、から主に構成されている。
【００５９】
スプロケット１２０は、図５に示されるように円盤形状をなし、その周面により収納通路１０１内のビジタコイン３８を保持出来るように、回転軸１２０ｂを介して回動自在に設けられている。周面の一部には、収納通路１０１内のビジタコイン３８を１枚ずつ供給通路１０２に送り出すための略半円状の切欠凹部１２０ａが形成されている。
【００６０】
スプロケット１２０の裏面には、該スプロケット１２０を回動させる供給モータ１２２の出力軸に固着されるギヤに噛合する駆動ギヤ１２１が同心円状に形成されている。また、スプロケット１２０の周囲には、収納通路１０１の下流側端部と供給通路１０２の上流側端部とを連通する移送通路１２３が、スプロケット１２０の周面に沿うように円弧状に形成されている。移送通路１２３の下流側端部から連設される供給通路１０２は、カードユニット３の前方に向けて下方に傾斜するように設けられ、後述するカードリーダライタ３２７の内部まで延設されている。
【００６１】
供給通路１０２は、供給ユニット３２３から供給されたビジタコイン３８を縦向きの姿勢で通路内を自重による転動にて流下させることができる断面略縦長角形状をなす通路として形成されている。
【００６２】
供給ユニット３２３の下方、すなわち、カードユニット３の下部位置には、会員カード挿入口３１９に挿入されて受付けた会員カード３７の前記集積回路（ＩＣ）８４に記録されている記録情報や、供給通路１０２内における保持位置Ｔ２に保持されるビジタコイン３８の前記集積回路９２に記憶されている記録情報の読み出し並びに書き込み等を行うカードリーダライタ３２７が設けられている。
【００６３】
このカードリーダライタ３２７の内部には、図８に示すように、会員カード３７並びにビジタコイン３８とのデータ送受を行う通信基板３５６と、該カードリーダライタ３２７の制御を行うコントローラ等が実装された制御基板３５７と、が設けられており、前記制御基板３５７は、ハブ７並びに通信ケーブル８を介して前記システムコントローラに接続され、システムコントローラ１００とのデータ通信を実施可能とされている。
【００６４】
また、前記制御基板３５７は、カードリーダライタ３２７が搭載されたカードユニット３の制御ユニット３２８にも接続されており、該制御ユニット３２８との各種データの送受が実施可能とされている。
【００６５】
該カードリーダライタ３２７の詳細な構造を図６に基づいて説明すると、該カードリーダライタ３２７は、上部にビジタコイン３８が供給、保持される円盤形記録媒体配置部としての供給通路１０２が配置可能な空間並びに該ビジタコイン収容室３５１の側方に会員カードスロット３５４が配置可能な空間が形成され、下部に後述の制御基板３５７等が収容される基板収容部３５２が形成された基体３５３と、会員カード３７が収容可能とされた会員用記録媒体配置部としての会員カードスロット３５４と、前記会員カード３７並びにビジタコイン３８における集積回路８４、９２を付勢させるとともに、これら会員カード３７並びにビジタコイン３８とのデータ送受を実施する通信部としてのパターンコイル（図示略）やこのパターンコイルからの電磁波の出力制御等を行う駆動回路としてのコントローラ（図示略）が設けられた記録媒体処理部を形成する通信基板３５６と、各部の制御や制御ユニット３２８との各種信号やデータの送受を実施する制御マイコン（図示略）等が設けられた制御基板３５７と、前記基体３５３の両側部を被覆する側面カバー３５８、３５９と、から主に構成されており、前記基体３５３の基板収容部３５２に制御基板３５７を配置して固定ネジ３６０で固定するとともに、供給通路１０２の側部に通信基板３５６を配置して固定ネジ３６１で固定し、該通信基板３５６を供給通路１０２と狭持する態様にて会員カードスロット３５４を配置し、前記基体３５３の両側を側面カバー３５８、３５９により被覆して固定ネジ３６２で固定することでこれら各部が一体化され、前記会員カードスロット３５４に収容される会員カード３７と、後述する保持片１１２にて供給通路１０２における保持位置Ｔ２（図５参照）に保持されるビジタコイン３８とが、所定の離間距離を有してほぼ並行に配置されるようになっている。
【００６６】
つまり、円盤型記録媒体読み出し手段としてのカードリーダライタ３２７は、会員用記録媒体としての会員カード３７が配置される会員用記録媒体配置部としての会員カードスロット３５４と、円盤型記録媒体としてのビジタコイン３８が配置される円盤型記録媒体配置部としての供給通路１０２とを、各記録媒体配置部に配置される会員カード３７並びにビジタコイン３８が所定の離間距離を有してほぼ並行に配置されるように設けるとともに、各会員カード３７並びにビジタコイン３８の読み出し又は書き込みを非接触にて行うための単一の記録媒体処理部としての通信基板３５６の上部を、会員用記録媒体配置部と円盤型記録媒体配置部との間に有している。
【００６７】
このようにすることで、会員用記録媒体としての会員カード３７と円盤型記録媒体としてのビジタコイン３８とを同一の処理装置としてのカードリーダライタ３２７にて処理できるようになるばかりか、会員カード３７とビジタコイン３８に記録されている記録データを読み出し及び書き込み可能なカードリーダライタ３２７を別々に設ける場合に比べ、構造をより簡素化できる。
【００６８】
また、通信基板３５６は、供給通路１０２における保持位置Ｔ２に保持されたビジタコイン３８並びに会員カードスロット３５４内に挿入された会員カード３７に対して電磁波を出力するパターンコイルが設けられた上端部分が供給通路１０２と会員カードスロット３５４との間に配置されるとともに、前記コントローラ等が実装された下方のデバイス実装部分が、供給通路１０２並びに会員カードスロット３５４が並列配置されているカードスロット部分の下端部よりも下方に突出するように配置されるようになっている。
【００６９】
また、この通信基板３５６が、ビジタコイン３８や会員カード３７とのデータの送受を行うパターンコイル（図示略）が設けられた上端部分（通信部）のみが、供給通路１０２と会員カードスロット３５４との間に配置されるようになっており、これらパターンコイルに比較して厚みの大きなコントローラ等のデバイスが実装される駆動回路部分（駆動部）が供給通路１０２並びに会員カードスロット３５４の間を避けて、その下方部分に位置するように配置することは、前記パターンコイルとビジタコイン３８並びに会員カード３７との距離を大幅に近接させることが可能となり、良好な非接触通信を実施できるようになるばかりか、カードリーダライタ３２７自体の幅方向の厚みも抑えることができる。
【００７０】
尚、本実施例では、通信基板３５６の駆動回路部分を下方に突出させるように配置することで、カードリーダライタ３２７の幅方向の厚みを抑えることができるようになっているが、例えば前記駆動回路部分を供給通路１０２と会員カードスロット３５４との上端よりも上方位置に設けるようにしても良く、少なくとも前記駆動回路部分を供給通路１０２と会員カードスロット３５４との間に位置しないように配置すれば、前記駆動回路部分を下方に突出させるように配置した場合と同様に、カードリーダライタの幅方向の厚みを抑えることができる。
【００７１】
また、供給通路１０２における屈曲部下方位置には、供給通路１０２内に出退自在に設けられ、通路内に突出した状態において通路内を転動により流下してきたビジタコイン３８を保持位置Ｔ２に保持するとともに、通路内から退避されることで該保持状態を解除可能な解除手段としての保持片１１２と、該保持片１１２を通路に対して出退自在に駆動するソレノイド１１３と、該保持位置Ｔ２にビジタコイン３８が保持されたことを検出するコイン検出センサ１０７と、が設けられており、供給通路１０２を介して供給されたビジタコイン３８が保持片１１２により保持位置Ｔ２に保持できるようになっているとともに、ビジタコイン３８が保持されたことがコイン検出センサ１０７にて検出されるようになっている。
【００７２】
保持片１１２により保持されていたビジタコイン３８は、該解除手段としての保持片１１２が通路内から退避して保持状態が解除されると、供給通路１０２の下流側端部から連設される返却通路１０３を介してコイン返却口３１３に返却されるようになっている。該返却通路１０３は、保持状態が解除されたビジタコイン３８を縦向きの姿勢で通路内を自重による転動にて流下させることができる断面略縦長角形状をなす通路として形成されており、該保持片１１２による保持を解除されたビジタコイン３８を自重による転動、すなわち、自然流下によりコイン返却口３０３へ導くことができるように、保持位置Ｔ２から下方に延びる垂直通路部と該垂直通路部からカードユニット３の前方に向けて下方に傾斜する傾斜通路部とから構成されている。
【００７３】
ここで、図７に基づいて、収納通路１０１からビジタコイン３８が１枚ずつカードリーダライタ３２７に供給され、さらにコイン返却口３１３に返却されるまでの作用を説明する。詳しくは、後述するビジタコイン発行処理にて説明するように、会員カード３７がカードリーダライタ３２７に受付けられていない状態において紙幣識別ユニット３２２に紙幣が受付けられた場合、あるいは後述するビジタコイン使用処理において、コイン投入口３０３から度数が残存するビジタコイン３８が投入され、該投入されたビジタコイン３８に記録されている度数を収納通路１０１に収納されているビジタコイン３８に記録する記録媒体交換処理を実施する場合における供給ユニット３２３及びカードリーダライタ３２７の動作状況を説明する。
【００７４】
まず、収納解除手段としてのスプロケット１２０の切欠凹部１２０ａが下方に向けられていて、その円周面の一部にて収納通路１０１内最下部に位置するビジタコイン３８を当接規制している状態において（図７（ａ）参照）、１枚のビジタコイン３８をカードリーダライタ３２７に供給する場合、制御ユニット３２８は供給モータ１２２を駆動してスプロケット１２０を反時計周りに回動させ、図７（ｂ）に示されるように切欠凹部１２０ａを収納通路１０１に向ける。これにより１枚のビジタコイン３８が切欠凹部１２０ａ内に収容されて移送通路１２３内に入り込む。
【００７５】
この状態からスプロケット１２０を逆回転、すなわち、時計回りに回転させると、収納通路１０１内の後続のビジタコイン３８はスプロケット１２０の円周面により当接規制されて収納状態に保持されたまま、切欠凹部１２０ａ内に収容された１枚のビジタコイン３８のみが移送通路１２３を介して移送される。
【００７６】
そして、切欠凹部１２０ａが供給通路１０２と対向する位置まで回動されたときに、収納通路１０１の最下位置にあるビジタコイン３８のみの収納状態が解除され、該切欠凹部１２０ａ内に収容されていたビジタコイン３８が切欠凹部１２０ａから逸脱し、供給通路１０２内を自重による転動にて通路内を流下した後、下流側の保持位置Ｔ２にて通路内に突出している解除手段としての保持片１１２により当接規制され、保持位置Ｔ２にて保持される（図７（ｃ）参照）。
【００７７】
そして、保持位置Ｔ２に保持されているビジタコイン３８に度数が記録された後、度数が残存するときに返却操作手段としての返却ボタン１５の操作がなされた場合、制御ユニット３２８はソレノイド１１３を励磁して保持片１１２を通路内から退避させる。これにより保持片１１２による保持状態が解除されたビジタコイン３８は返却通路１０３内に落下して、ビジタコイン３８は自重による転動にて返却通路１０３内を流下してコイン返却口３１３に導かれ、遊技者に返却される。
【００７８】
このように、円盤型記録媒体収納部である収納通路１０１内には複数枚の円盤型記録媒体としてのビジタコイン３８が収納され、収納通路１０１からビジタコイン３８がカードリーダライタ３２７に供給されるようになっているため、遊技場の店員等がカードユニット３にビジタコイン３８を補充する手間等を低減できるばかりか、収納されているビジタコイン３８は供給通路１０２により自重による転動にてカードリーダライタ３２７に導かれて供給されることで、ビジタコイン３８をカードリーダライタ３２７まで搬送するための搬送機構等を設ける必要がないため、カードユニット３の構造が簡素化される。
【００７９】
また、保持位置Ｔ２に保持されているビジタコイン３８に度数が残存するときに返却ボタン１５にて返却操作を受付けたことに基づいて、解除手段としての保持片１１２が通路内から退避してカードリーダライタ３２７における保持状態が解除されると、ビジタコイン３８は返却通路１０３を介して自重による転動にてコイン返却口３１３に導かれて返却されることで、ビジタコイン３８をコイン返却口３１３まで搬送するための搬送機構等を設ける必要がないため、カードユニット３の構造が簡素化される。
【００８０】
さらに、このように供給通路１０２や返却通路１０３内をビジタコイン３８が自重による転動にて流下するようにすることで、ビジタコイン３８を搬送するための搬送機構等を設ける場合に比べて故障等が発生しにくいばかりか、メンテナンス等も容易になるため、作業性が向上する。
【００８１】
以下、本実施例のカードユニット３におけるメイン処理、玉貸処理、追加入金処理、再プレイ処理、ビジタコイン発行処理、ビジタコイン使用処理について以下に説明する。
【００８２】
まず、メイン処理について、図９に基づき説明すると、まず、Ｓａ１にて前記動作ランプ３０１が点灯され、前記システムコントローラとの通信可能状態であることと、良好な動作状態であることが報知される。
【００８３】
次いで、Ｓａ２へ進んで、前記カード挿入口３１９に会員カード３７の挿入が有るかの判定を実施し、該判定が否（Ｎｏ）である場合には、Ｓａ３へ進んで紙幣挿入口３０２より紙幣の挿入が有るかの判定を実施し、該判定が否（Ｎｏ）である場合には、Ｓａ４へ進んでコイン投入口３０３よりビジタコイン３８の投入が有るか、すなわち、コイン検出センサ１０４からの検出信号の入力があるかの判定を実施し、該判定が否（Ｎｏ）である場合には前記Ｓａ２へ戻ることで、会員カード３７の挿入、紙幣の挿入、ビジタコイン３８の投入の検出を実施している。
【００８４】
Ｓａ３にて紙幣挿入口３０２に紙幣の挿入があった場合には、図１３に示すビジタコイン発行処理へ移行し、該ビジタコイン発行処理を実施した後に図１４に示すビジタコイン使用処理に移行する。また、Ｓａ４にてビジタコイン３８の投入があった場合には、図１４に示すビジタコイン使用処理へ移行して、該ビジタコイン使用処理を実施した後、再度Ｓａ２に戻り、これらＳａ２〜Ｓａ４の処理を繰り返す。
【００８５】
前記カード挿入口３１９に会員カード３７の挿入があった場合は、該カード挿入が前記Ｓａ２にて検出されてＳａ５へ進み、ビジタコイン３８の受付けを不可とする処理を実施する。具体的には、前記ソレノイド１３１の励磁を解除して投入規制片１３０をコイン投入通路１００内に突出させて、ビジタコイン３８のコイン投入通路１００内への投入を不可とする。
【００８６】
次に、受付けた会員カード３７に記録されている記録情報（磁気ストライプに記録されている会員ＩＤも含む）を読み取り、該読み出したデータを前記ＲＡＭ３３０の読み出しデータ記憶領域に一時記憶する（Ｓａ６）。
【００８７】
次いで、これら一時記憶された読み出しデータから、会員カードＩＤと残存度数データと会員ＩＤを特定し、会員カードＩＤを会員カードＩＤデータ記憶領域に、残存度数データを度数データ記憶領域に、会員ＩＤデータを会員ＩＤ記憶領域にそれぞれ記憶し、これら各記憶領域に登録した会員カードＩＤと残存度数データと使用許諾要求とを図示しないシステムコントローラへ送信する（Ｓａ７）。
【００８８】
システムコントローラでは、この会員カードＩＤと残存度数データと使用許諾要求との受信に基づき、受付けた会員カード３７の会員カードＩＤが図示しないカード管理データベースに登録されている（存在する）か否かを判定し、該会員カードＩＤの判定において登録されている（存在する）と判定した場合においては、該会員カードＩＤに対応付けて記憶されている使用不可フラグに「１；使用不可」が登録されていないかを確認するとともに、該会員カードＩＤが図示しない不正カードデータベースに登録されていないかを確認し、これらの確認において問題ない場合において、該会員カードＩＤに対応付けて図示しないカード管理データベースに記憶されている残存度数データを抽出して前記受信した残存度数データとの比較を実施し、前記受信した残存度数データが抽出した残存度数データよりも大きくない場合において、該会員カードを正規であると判定し、該会員カードの使用許諾を前記制御ユニット３２８へ送信する。尚、受信した残存度数データが抽出した残存度数データよりも小さい場合においては、オフライン時に使用された度数が存在したと判断し、該受信した残存度数データに前記カード管理データベースの残存度数データを更新し、受信した残存度数データが抽出した残存度数データよりも大きい場合には、度数エラーを前記制御ユニット３２８へ送信する。
【００８９】
これら返信内容が使用許諾ではない場合には、Ｓａ８の判定にてＳａ１７へ移行してエラー報知を実施した後、受付け中の会員カード３７を返却させるとともに（Ｓａ１８）、当該エラー報知が所定のエラー解除操作により解除された場合には（Ｓａ１９）、再びＳａ２に戻る。
【００９０】
また、返信内容が使用許諾である場合は、該使用許諾がＳａ８にて検出されてＳａ９に進み、前記度数データ記憶領域に記憶されている残存度数を前記度数表示部３０９並びに度数表示部１７に表示した後、Ｓａ１０へ進む。
【００９１】
Ｓａ１０においては、貸出ボタン１６の押圧操作による貸出入力が有るか否かの判定を実施するとともに、該貸出入力がない場合にはＳａ１１へ進んで紙幣受付けが有るかの判定を実施し、紙幣受付けがない場合にはＳａ１２へ進んで前記プレイ選択ボタン３１６の操作があるかの判定を実施し、該判定においてプレイ選択ボタン３１６の操作がない場合にはＳａ１３へ進んで前記返却ボタン１５の操作に基づく返却入力が有るかの判定を実施し、返却入力が無い場合においては前記Ｓａ１０に戻ることで、前記Ｓａ１０〜Ｓａ１３において、貸出操作或いは紙幣受付け、プレイ選択ボタン３１６の操作、返却操作のいずれかが実施されたかを検出するようになっている。
【００９２】
このＳａ１０〜Ｓａ１３の段階において、遊技者が前記貸出ボタン１６の押圧操作した場合においては、該貸出操作が前記Ｓａ１０にて検出されて図１０に示す貸出処理へ移行する。
【００９３】
また、Ｓａ１０〜Ｓａ１３の段階において、紙幣受付けがあった場合には、該紙幣受付けが前記Ｓａ１１にて検出されて、図１１に示す追加入金処理へ移行する。
【００９４】
また、Ｓａ１０〜Ｓａ１３の段階において、プレイ選択ボタン３１６の操作がなされた場合には、該操作が前記Ｓａ１２にて検出されて図１２に示す再プレイ処理へ移行する。
【００９５】
また、Ｓａ１０〜Ｓａ１３の段階において、前記返却ボタン１５の操作がなされた場合には、該返却操作が前記Ｓａ１３にて検出されてＳａ１４へ進み、該受付中の会員カード３７の残存度数と使用度数、入金度数、並びに該会員カード３７の度数使用と入金の履歴データとを会員カードＩＤと装置ＩＤとともに図示しないシステムコントローラへ更新情報として送信し、該システムコントローラから更新完了の返信に基づきＳａ１５へ進み、前記度数データ記憶領域に記憶されている残存度数を受付けている会員カード３７に更新記録した後、会員カード３７を返却させた後（Ｓａ１６）、Ｓａ２に戻る。尚、前記更新情報を受信したシステムコントローラでは、受信した更新情報の会員カードＩＤに該当する登録レコードを図示しないカード管理データベース（ＤＢ）から抽出して、前記更新情報に基づいて残存度数、入金度数、使用度数を更新登録する。
【００９６】
次いで、図９における貸出処理について、図１０のフローに基づき説明すると、前記制御ユニット３２８は、前記パチンコ機２より出力されるＰＲＤＹのＨＩＧＨ／ＬＯＷを判定し（Ｓｂ１）、ＰＲＤＹがＨＩＧＨである場合には、所定のエラー処理を実施し（Ｓｂ１３）、貸出処理を終了する。
【００９７】
また、前記Ｓｂ１において前記ＰＲＤＹがＬＯＷである場合には、ＢＲＤＹをＬＯＷに切替えた後（Ｓｂ２）、ＢＲＱをＬＯＷとして（Ｓｂ３）、パチンコ機２からのＥＸＳのＨＩＧＨの検出待ちの状態となり（Ｓｂ４）、該ＥＸＳのＬＯＷの検出に基づきＢＲＱをＨＩＧＨに切替え（Ｓｂ５）、ＥＸＳのＨＩＧＨの検出待ちの状態となる（Ｓｂ６）。
【００９８】
次いで、パチンコ機２における１度分の払出が完了され、ＥＸＳのＨＩＧＨを検出すると、ＭＰＵ３２９は前記度数データ記憶領域に記憶されている度数を１度減算更新し（Ｓｂ７）、度数表示部１７，３０９の度数を減算した度数に表示更新し（Ｓｂ８）、ＢＲＱの回数をカウントし（Ｓｂ９）、該カウントしたＢＲＱの回数と貸出単位変更ボタン３０６にて設定されている貸出単位回数（本実施例ではデフォルトでは１回の貸出処理で５度分の貸出処理が実施されるので、デフォルトであれば５回）とを比較する（Ｓｂ１０）。
【００９９】
このＳｂ１０の比較において前記カウントしたＢＲＱの回数と貸出単位回数とが一致しない場合には、再びＳｂ３〜Ｓｂ１０の処理を実施するようになっており、Ｓｂ１０の比較において前記カウントしたＢＲＱの回数と貸出単位回数とが一致した場合には、ＢＲＤＹをＨＩＧＨとし（Ｓｂ１１）、前記にて減算した度数（使用度数）と会員カードＩＤとを含む利用情報を装置ＩＤとともに前記システムコントローラへ更新情報として送信する（Ｓｂ１２）。また、システムコントローラにおいては、該利用情報の受信に基づき、図示しないカード管理データベースの該会員カード３７に対応する残存度数並びに使用度数を更新した後、送信元の制御ユニット３２８に対して更新完了を返信する。この返信に基づき制御ユニット３２８は貸出処理を終了して前記Ｓａ１０へ戻るようになっている。
【０１００】
次いで、図９における追加入金処理について、図１１に示すフローに基づき説明すると、まず紙幣識別ユニット３２２により受付けた紙幣を識別し（Ｓｃ１）、これに基づき識別結果を判定する（Ｓｃ２）。
【０１０１】
該判定において識別結果が正常ではない場合には、受付けた紙幣を返却し（Ｓｃ９）、追加入金処理を終了して前記Ｓａ１０へ戻る。
【０１０２】
また、前記Ｓｃ２における識別結果が正常である場合には、前記度数データ記憶領域に記憶されている残存度数が入金可能な所定度数以下（本実施例では１０度数以下）であるかの判定を実施して、該判定において１１度数以上の残存度数が残存する場合には、前記受付けた貨幣を返却し（Ｓｃ９）、追加入金処理を終了して前記Ｓａ１０へ戻る。
【０１０３】
また、前記Ｓｃ３の判定において、前記度数データ記憶領域に記憶されている残存度数が１０度数以下である場合にはＳｃ４へ進んで、前記識別した紙幣の金額に相当する度数を加算（入金）度数としてセットし、該セットした加算（入金）度数を前記度数表示部１７，３０９に表示する（Ｓｃ５）。
【０１０４】
次いで、制御ユニット３２８は、これらセットした加算（入金）度数並びに当該会員カード３７の会員カードＩＤ、装置ＩＤ等を含む入金情報を図示しないシステムコントローラに送信した後（Ｓｃ６）、これらセットした加算（入金）度数を前記度数データ記憶領域の残存度数に加算更新するとともに（Ｓｃ７）、該加算更新された度数データ記憶領域の新たな度数を前記度数表示部１７，３０９に更新表示し（Ｓｃ８）、処理を終了して前記Ｓａ１０へ戻る。また、システムコントローラにおいては、前記入金情報の受信に基づき、図示しないカード管理データベースの該会員カード３７に対応する残存度数並びに入金度数を更新した後、送信元の制御ユニット３２８に対して更新完了を返信する。
【０１０５】
次いで、図９における再プレイ処理について、図１２のフローを用いて説明すると、まず再プレイ処理においては、会員カード３７の挿入時において、前記磁気ストライプより読み出されて前記会員ＩＤ記憶領域に記憶されている会員ＩＤを図示しない会員管理コンピュータへ、装置ＩＤ並びに判定要求とともに送信する（Ｓｄ１）。
【０１０６】
該判定要求の受信に基づき会員管理コンピュータは、受信した会員ＩＤに該当する会員ＩＤが図示しない会員情報テーブルに存在するかを判定し（正否判定）、存在する場合には正規の会員カードと判定して該会員情報テーブルに受信した会員ＩＤに対応付けて登録されている貯蓄玉数と暗証番号とを抽出し、該貯蓄玉数に該当する再プレイ回数、具体的には、本実施例では１回の再プレイ操作において５００円分に相当する１２５球の返却を実施するのに、貯玉の使用手数料１３球を含めて１３８球の貯玉が必要としていることから、例えば９４０球の貯玉があれば、該９４０球を１３８にて除した値の整数値、すなわち６回を再プレイ回数として算出し、該再プレイ回数と暗証番号並びに会員ＩＤの登録が有った旨の判定結果を送信元の制御ユニット３２８に対して返信する。尚、再プレイ回数が「０」となった場合には、その旨を報知した後、Ｓａ１０に戻って再プレイ処理が終了される。
【０１０７】
該返信を受けて前記制御ユニット３２８は、受信した暗証番号並びに再プレイ回数を前記暗証番号記憶領域並びに再プレイ回数記憶領域に記憶するとともに（Ｓｄ２）、返信されてきた判定結果の判定を実施する（Ｓｄ３）。
【０１０８】
該判定結果の判定において、判定結果が会員ＩＤの登録が無かった旨の返信であった場合にはＳａ１７へ戻り会員ＩＤがエラーである旨を遊技者に対して報知し、判定結果が会員ＩＤの登録があった場合にはＳｄ４へ進み、暗証番号の入力回数変数Ｎに初期値「０」をセットした後、Ｓｄ５へ進む。
【０１０９】
該Ｓｄ５においては、カードユニット３の場合には会員操作パネルに設けられたテンキー３１５並びにエンターキー３１７による暗証番号の入力受付けが実施される。これら入力された暗号番号は制御ユニット３２８へ出力されて、該受付けた暗証番号と前記暗証番号記憶領域に記憶されている暗証番号との比較を制御ユニット３２８が実施して（Ｓｄ６）、遊技者の本人確認を行う。
【０１１０】
これら双方の暗証番号が一致しない場合には、前記入力回数変数Ｎの値が２に達しているか、すなわち３回目の入力であるかの判定を実施し（Ｓｄ７）、Ｎの値が２に達している場合には再プレイ処理を終了して前記Ｓａ１７へ戻り、Ｎの値が２に達していない場合には、入力回数変数Ｎに１を加算し（Ｓｄ８）、前記Ｓｄ５の暗証番号受付けに戻る。また、前記双方の暗証番号が一致した場合にはＳｄ９へ進んで、前記再プレイ回数記憶領域に記憶されている再プレイ回数を前記会員カード用表示部３１４に表示させる。
【０１１１】
次いでＳｄ１０においては、前記エンターキー３１７からの入力の検出並びに返却ボタン１５の操作検出（Ｓｄ１１）を実施するようになっており、返却ボタン１５が操作された場合には該Ｓｄ１１にて検出されて前記Ｓａ１４へ戻り、会員カード３７の度数使用や入金等の情報や使用履歴等が図示しないシステムコントローラへ送信される返却処理が実施された後、該会員カード３７が返却される。
【０１１２】
会員遊技者が再プレイのために前記エンターキー３１７を操作した場合には、該操作が前記Ｓｄ１０にて検出されてＳｄ１２へ進み、前記再プレイ回数記憶領域に記憶されている再プレイ回数が「０」であるかの判定を実施する。
【０１１３】
該判定において再プレイ回数が「０」である場合には、再プレイ処理を終了し前記Ｓａ１０へ戻り、再プレイ回数が存在する場合にはＳｄ１３へ進んでパチンコ球の払戻を実施する。
【０１１４】
このＳｄ１３以降の払戻処理は、基本的には前記貸出処理と同様に実施され、前記制御ユニット３２８は、前記パチンコ機２より出力されるＰＲＤＹのＬＯＷ／ＨＩＧＨを判定し（Ｓｄ１３）、ＰＲＤＹがＨＩＧＨである場合には、所定のエラー処理を実施し（Ｓｄ２５）、再プレイ処理を終了する。
【０１１５】
また、前記Ｓｄ１３において前記ＰＲＤＹがＬＯＷである場合には、ＢＲＤＹをＬＯＷに切替えた後（Ｓｄ１４）、ＢＲＱをＬＯＷとして（Ｓｄ１５）、パチンコ機２からのＥＸＳのＬＯＷの検出待ちの状態となり（Ｓｄ１６）、該ＥＸＳのＬＯＷの検出に基づきＢＲＱをＨＩＧＨに切替え（Ｓｄ１７）、ＥＸＳのＨＩＧＨの検出待ちの状態となる（Ｓｄ１８）。
【０１１６】
次いで、パチンコ機２における１度数分に相当するパチンコ玉２５個の払出が完了され、ＥＸＳのＨＩＧＨを検出すると、ＭＰＵ３２９はＢＲＱの回数に１を加算し（Ｓｄ１９）、該カウントしたＢＲＱの回数と予め設定されている払戻単位回数（本実施例では５度数分＝１２５個）とを比較する（Ｓｄ２０）。
【０１１７】
このＳｄ２０の比較において前記カウントしたＢＲＱの回数と払戻単位回数とが一致しない場合には、再びＳｄ１５〜Ｓｄ２０の処理を実施するようになっており、Ｓｄ２０の比較において前記カウントしたＢＲＱの回数と払戻単位回数とが一致した場合には、Ｓｄ２１へ進んでＢＲＤＹをＨＩＧＨとする。
【０１１８】
該Ｓｄ２１においてＢＲＤＹをＨＩＧＨとした後、会員ＩＤと再プレイを行った旨を会員管理コンピュータへ送信し（Ｓｄ２２）、Ｓｄ２３において再プレイ回数の受信待ちとなり、図示しない会員管理コンピュータからの更新後の再プレイ回数の受信後、Ｓｄ２４において再プレイ回数を更新して、Ｓｄ９において該更新後の再プレイ回数が会員カード用表示部３１４に表示される。
【０１１９】
次いで、図９におけるビジタコイン発行処理について、図１３のフローを用いて説明すると、ビジタコイン発行処理においては、まず、会員カード挿入口３１９に会員カード３７が挿入されてもこれを返却するようにカードリーダライタ３２７を制御して、カードリーダライタ３２７への会員カード３７の受付けを不可とする（Ｓｅ１）。
【０１２０】
次いで、紙幣識別ユニット３２２により受付けた紙幣を識別し（Ｓｅ２）、これに基づき識別結果を判定する（Ｓｅ３）。該判定において識別結果が正常ではない場合には、受付けた紙幣を返却し（Ｓｅ１０）、ビジタコイン発行処理を終了して前記Ｓａ２へ戻る。
【０１２１】
また、前記Ｓｅ３における識別結果が正常である場合には、度数が０度であるビジタコイン３８がカードリーダライタ３２７の保持位置Ｔ２に供給されているか否か、すなわち、コイン検出センサ１０７からの信号入力があるかを判定し（Ｓｅ４）、供給されていない場合には、前述したように、供給ユニット３２３の供給モータ１２２を駆動して、収納通路１０１から１枚のビジタコイン３８を供給通路１０２に送り出し、カードリーダライタ３２７の保持位置Ｔ２に供給されたことがコイン検出センサ１０７にて検出されたことに基づいてＳｅ６に進む（Ｓｅ５）。
【０１２２】
ビジタコイン３８が保持位置Ｔ２に供給されたことを確認した場合にはＳｅ６に進んで、前記識別した紙幣の金額に相当する度数を発行（入金）度数としてセットし、該セットした発行（入金）度数を前記度数表示部１７，３０９に表示する（Ｓｅ７）。
【０１２３】
次いで、当該ビジタコイン３８に記録されているビジタコインＩＤ、前記セットした発行（入金）度数、装置ＩＤ等を含む発行情報を図示しないシステムコントローラに送信した後（Ｓｅ８）、これらセットした発行（入金）度数を当該ビジタコイン３８に書き込んで記録した後（Ｓｅ９）、処理を終了して後述するビジタコイン使用処理へ移行する。
【０１２４】
このように、前記ビジタコイン発行処理におけるＳｅ２において識別された識別金額に相当する度数データを、Ｓｅ６においてセットした発行（入金）度数を、Ｓｅ９において保持位置Ｔ２に供給されたビジタコイン３８に記録するという一連の処理が、制御ユニット３２８が行う前記遊技用価値特定可能化処理に該当する。
【０１２５】
次いで、図９におけるビジタコイン使用処理について、図１４のフローを用いて説明すると、ビジタコイン使用処理においては、まず、会員カード挿入口３１９に会員カード３７が挿入されてもこれを返却するようにカードリーダライタ３２７を制御して、カードリーダライタ３２７への会員カード３７の受付けを不可とし（Ｓｆ１）、Ｓｆ２に進む。
【０１２６】
Ｓｆ２においては、コイン投入口３０３から投入されてコインリーダライタ３２４における保持位置Ｔ１に保持されたことがコイン検出センサ１０４にて検出されている場合には、コインリーダライタ３２４にて保持位置Ｔ１に保持しているビジタコイン３８の記録データ（ビジタコインＩＤ、度数、装置ＩＤ）を読み出し、該読み出したデータを前記ＲＡＭ３３０の各データ記憶領域に記憶する。
【０１２７】
また、前述したビジタコイン発行処理により発行されてカードリーダライタ３２７における保持位置Ｔ２に保持されたことがコイン検出センサ１０７にて検出されている場合には、カードリーダライタ３２７にて保持位置Ｔ２に保持しているビジタコイン３８の記録データ（ビジタコインＩＤ、度数、装置ＩＤ）を読み出し、該読み出したデータを前記ＲＡＭ３３０の各データ記憶領域に記憶する。
【０１２８】
次いで、これらＲＡＭ３３０に記録されているビジタコインＩＤ、度数、装置ＩＤと使用許諾要求を図示しないシステムコントローラに送信する（Ｓｆ３）。
【０１２９】
システムコントローラでは、このビジタコインＩＤと残存度数データと使用許諾要求との受信に基づき、該ビジタコインが正規であるか否かを判定し、正規であると判定した場合には該ビジタコインの使用許諾を前記制御ユニット３２８へ送信するとともに、度数エラーがある等、不正であると判定した場合にはエラー情報を前記制御ユニット３２８へ送信する。
【０１３０】
これら返信内容が使用許諾ではない場合には、Ｓｆ４の判定にてＳｆ１３へ移行してエラー報知を実施した後（Ｓｆ１３）、当該エラー報知が所定のエラー解除操作により解除された場合には（Ｓｆ１４）、再び前記Ｓａ２に戻る。
【０１３１】
また、返信内容が使用許諾である場合は、該使用許諾がＳｆ４にて検出されてＳｆ５に進み、前記Ｓｆ２において読み出した記録データが、コイン投入口３０３から投入されてコインリーダライタ３２４における保持位置Ｔ１に保持されているビジタコイン３８からコインリーダライタ３２４にて読み出したデータであった場合には、当該保持位置Ｔ１に保持しているビジタコイン３８に記憶されている度数データを初期化、すなわち、０度数とした後、ソレノイド１１１を励磁して保持片１１０を通路内から退避させて保持状態を解除させる。これにより当該ビジタコイン３８は度数データが０度数とされた状態で収納通路１０１内に回収されて収納されることになる。このような処理により、収納通路１０１内には度数が残存しないビジタコイン３８のみが収納されるため、安全性が向上する。
【０１３２】
さらに、この時点でカードリーダライタ３２７にビジタコイン３８が供給されていない場合には、供給ユニット３２３の供給モータ１２２を駆動して、収納通路１０１から１枚のビジタコイン３８を供給通路１０２に送り出し、カードリーダライタ３２７の保持位置Ｔ２に供給させる（Ｓｆ５）。
【０１３３】
次いで、前記度数データ記憶領域に記憶されている残存度数を前記度数表示部３０９並びに度数表示部１７に表示した後（Ｓｆ６）、Ｓｆ７へ進む。
【０１３４】
Ｓｆ７においては、新たなビジタコイン３８の受付けがあるか否か、すなわち、新たなビジタコイン３８がコイン投入口３０３から投入されてコインリーダライタ３２４における保持位置Ｔ１に保持されたことがコイン検出センサ１０４にて検出されたか否かの判定を実施するとともに、該検出がない場合にはＳｆ８に進んで貸出ボタン１６の押圧操作による貸出入力が有るか否かの判定を実施するとともに、該貸出入力がない場合にはＳｆ９へ進んで前記返却ボタン１５の操作に基づく返却入力が有るかの判定を実施し、該返却入力がない場合においては前記Ｓｆ７に戻ることで、前記Ｓｆ７〜Ｓｆ９において、新たなビジタコイン３８の受付け、貸出操作の受付け、返却操作の受付けのいずれかが実施されたかを検出するようになっている。
【０１３５】
このＳｆ７〜Ｓｆ９の段階において、新たなビジタコイン３８の受付け、すなわち、コイン検出センサ１０４からの入力があった場合にはＳｆ１５に進み、前記Ｓｆ２〜Ｓｆ５までの処理を実施し、新たに投入されたビジタコイン３８の度数をＲＡＭ３３０の度数データ記憶領域に記憶されている度数に加算更新し、該加算更新後の度数を前記度数表示部３０９並びに度数表示部１７に表示し（Ｓｆ１６）、Ｓｆ７に戻る。
【０１３６】
すなわち、本実施例においては、カードリーダライタ３２７にビジタコイン３８が受付けられている（保持位置Ｔ２に保持されている）状態においては、返却ボタン１５による返却操作を受付けるまでは新たなビジタコイン３８の受付けが可能であり、新たに投入されて受付けられたビジタコイン３８の残存度数が度数データ記憶領域に記憶されている度数に加算更新されていくようになっている。
【０１３７】
また、Ｓｆ７〜Ｓｆ９の段階において、遊技者が前記貸出ボタン１６の押圧操作した場合においては、該貸出操作が前記Ｓｆ８にて検出されて前述した図１０に示す非会員使用処理としての（発行）貸出処理へ移行する。なお、該Ｓｆ８から移行する（発行）貸出処理においては、前記Ｓｂ１２において、会員カードＩＤの替わりにビジタコインＩＤがシステムコントローラに送信されることになる。そして、当該（発行）貸出処理にてビジタコイン３８の残存度数が０度数となった場合には（Ｓｆ１７）、Ｓａ２に戻り、残存度数が０度数でない場合には再びＳｆ７に戻り、Ｓｆ７〜Ｓｆ９の処理を繰り返す。
【０１３８】
また、Ｓｆ７〜Ｓｆ９の段階において前記返却ボタン１５の操作がなされた場合には、該返却操作が前記Ｓｆ９にて検出されてＳｆ１０へ進む。ここで、投入されたビジタコイン３８の場合には、投入されたビジタコイン３８のビジタコインＩＤ（ＲＡＭ３３０に記憶されているビジタコインＩＤ）と返却するビジタコイン３８のビジタコインＩＤとを、ＲＡＭ３３０に記憶されている残存度数、装置ＩＤとともに図示しないシステムコントローラへ更新情報として送信する。該更新情報を受信したシステムコントローラは、受信した更新情報に基づき、図示しないカード管理データベースにおいて返却するビジタコイン３８のビジタコインＩＤに対応して記憶されている残存度数を前記受信した残存度数に更新するとともに、投入されたビジタコイン３８のビジタコインＩＤに対応して記憶されている残存度数を０度数に更新した後、送信元の制御ユニット３２８に対して更新完了を返信する。
【０１３９】
また、紙幣の受付けにより新規に発行されたビジタコイン３８の場合には、返却するビジタコイン３８のビジタコインＩＤを、ＲＡＭ３３０に記憶されている残存度数、装置ＩＤとともに図示しないシステムコントローラへ更新情報として送信する。該更新情報を受信したシステムコントローラは、受信した更新情報に基づき、図示しないカード管理データベースにおいて返却するビジタコイン３８のビジタコインＩＤに対応して記憶されている残存度数を前記受信した残存度数に更新した後、送信元の制御ユニット３２８に対して更新完了を返信する。
【０１４０】
次いで、該システムコントローラから更新完了の返信に基づきＳｆ１１へ進み、前記ＲＡＭ３３０における度数データ記憶領域に記憶されている残存度数を、カードリーダライタ３２７の保持位置Ｔ２に保持されて（受付けて）いるビジタコイン３８に更新記録した後、ソレノイド１１３を励磁して保持片１１２を通路内から退避させて保持状態を解除し、当該ビジタコインを返却させた後（Ｓｆ１２）、前記Ｓａ２に戻る。
【０１４１】
このように、前記ビジタコイン使用処理におけるＳｆ２において、コインリーダライタ３２４に保持されたビジタコイン３８から読み出した度数データをＲＡＭ３３０における度数データ記憶領域に記憶するとともに、Ｓｆ５において当該ビジタコイン３８に記録されている度数データを０度数とした後に当該ビジタコイン３８を収納通路１０１内に回収するとともに、Ｓｆ９における返却ボタン１５の操作を受付けたことに基づいて、カードリーダライタ３２７にて保持しているビジタコイン３８に前記ＲＡＭ３３０における度数データ記憶領域に記憶されている残存度数を記録する、という一連の処理が、制御ユニット３２８が行う前記記録媒体交換処理に該当する。
【０１４２】
つまり、本発明の請求項における「投入口から投入された円盤型記録媒体の遊技用価値特定情報から特定された遊技用価値の大きさが残存するとき」とは、返却操作がなされた時点で受付け中のビジタコイン３８の記録情報から度数が特定される場合（例えば、玉貸毎にビジタコイン３８の度数データが減算更新され、返却操作時においてもビジタコイン３８に度数データが記録されている場合）だけでなく、本実施例のように、受付けたビジタコイン３８から読み出した度数データをＲＡＭ３３０に記録し、玉貸毎にＲＡＭ３３０に記憶した度数データを減算更新する場合において、当該ＲＡＭ３３０に記憶された度数が０ではない状態を含む概念である。これは、ＲＡＭ３３０に記憶された度数も元々は受付け中のビジタコイン３８に記録された度数、すなわち、受付け中のビジタコイン３８の記録情報から特定された度数だからである。
【０１４３】
以上説明したように、本実施例におけるカードユニット３にあっては、円盤型記録媒体収納部である収納通路１０１内には複数枚の円盤型記録媒体としてのビジタコイン３８が複数枚収納されており、会員カード３７が受付けられていないときに紙幣が紙幣挿入口３０２から挿入されて受付けられたとき（ビジタコイン発行処理時）や、度数が記録されているビジタコイン３８がコイン投入口３０３から投入されてコインリーダライタ３２４にて受付けられたとき（ビジタコイン使用処理時）にあっては、収納通路１０１からビジタコイン３８がカードリーダライタ３２７に供給されるようになっているため、遊技場の店員等がカードユニット３にビジタコイン３８を補充する手間等を低減できるばかりか、収納されているビジタコイン３８は供給通路１０２により自重による転動にてカードリーダライタ３２７に導かれて供給されることで、ビジタコイン３８をカードリーダライタ３２７まで搬送するための搬送機構等を設ける必要がないため、カードユニット３の構造を複雑化することなく、遊技後に残存した度数を会員カード３７を所持しない遊技者に対しても返却することができる。
【０１４４】
また、遊技に使用可能な遊技用価値の大きさを特定可能な遊技用価値特定情報としての会員カードＩＤと会員遊技者を個々に特定可能な会員識別情報としての会員ＩＤとが記録された会員用記録媒体は、会員遊技者が所有する記録媒体であるため、例えばキャッシュカード等と同様のカード形状とすることで、会員遊技者が長期間携帯するにあたって利便性がよい。また、遊技に使用可能な遊技用価値の大きさを特定可能な遊技用価値特定情報としての度数（ビジタコインＩＤ）が記録された円盤型記録媒体は、所有者が特定されず、遊技者が携帯する期間が会員記録媒体に比べて短いとともに、カードユニット３の収納通路１０１内に複数収納される記録媒体であるため、前述したように、自重による転動にて各通路内を流下し、コインリーダライタ３２４やカードリーダライタ３２７に供給したり、コイン返却口３１３に返却されるコイン形状である方が扱いやすいと言える。
【０１４５】
また、保持位置Ｔ２に保持されているビジタコイン３８に度数が残存するときに返却ボタン１５にて返却操作を受付けたことに基づいて、解除手段としての保持片１１２が通路内から退避してカードリーダライタ３２７における保持状態が解除されると、ビジタコイン３８は返却通路１０３を介して自重による転動にてコイン返却口３１３に導かれて返却されることで、ビジタコイン３８をコイン返却口３１３まで搬送するための搬送機構等を設ける必要がないため、遊技用装置の構造が簡素化される。
【０１４６】
さらに、このように供給通路１０２や返却通路１０３内をビジタコイン３８が自重による転動にて流下するようにすることで、ビジタコイン３８を搬送するための搬送機構等を設ける場合に比べて故障等が発生しにくいばかりか、メンテナンス等も容易になるため、作業性が向上する。
【０１４７】
また、度数が残存するビジタコイン３８を受付けて非会員遊技使用処理としてのビジタコイン使用処理を実施可能とするときに、該受付けたビジタコイン３８を返却するための返却通路と、収納通路１０１に収納されたビジタコイン３８を返却するための返却通路とをそれぞれ別々に設ける必要がないため、遊技用装置の構造が簡素化される。
【０１４８】
また、ビジタコイン３８に遊技用価値特定情報としての度数が書き込まれる場合でも、度数が書き込まれたビジタコイン３８をカードリーダライタ３２７から返却させるとともに、収納通路１０１内には度数が０度数とされたビジタコイン３８が収納されるため、受付けた度数が残存するビジタコイン３８を引き抜く等の不正行為により遊技場が損害を被ること等を防止できる。
【０１４９】
また、図１５には、本発明の変形例としてのカードユニット３’の内部構造を示す概略図が示されている。
【０１５０】
上記実施例においては、コイン投入通路１００、収納通路１０１、供給通路１０２、返却通路１０３が互いに連通する一本状の通路にて形成されていたことから、カードリーダライタ３２７に会員カード３７が受付け中であるときにおいて、ビジタコイン３８の受付けを不可とする際に、当接規制片１３０を通路内に突出させてコイン投入口３０３からの投入を不可とするようになっていたが、例えば図１５に示されるように、収納通路１０１の上部に分岐部を設け、該分岐部から収納通路１０１を経由せずに返却通路１０３に連通する第２返却通路１４０を別途延設するとともに、該分岐部に流路切替板１４１を設け、該流路切替板１４１を介して、コインリーダライタ３２４から排出されたビジタコイン３８の流路を収納通路１０１もしくは第２返却通路１４０のいずれかに選択的に切り替えられるようにしてもよい。
【０１５１】
すなわち、会員カード３７が受付け中であるためにビジタコイン３８の受付けを不可とする際に、保持片１１０を退避させておくとともに、流路切替板１４１を第２返却通路１４０側にしておけば、コイン投入口３０３から投入されたビジタコイン３８はコインリーダライタ３２４にて保持（受付け）されることなく、そのまま第２返却通路１４０内に流下して返却通路１０３内に合流し、コイン返却口３１３に返却されることになる。
【０１５２】
前記実施例における各要素は、本発明に対して以下のように対応している。
【０１５３】
本発明の請求項１は、遊技場内に設置された遊技機（パチンコ機２）に対応して設けられ、遊技に使用可能な遊技用価値（度数）の大きさを特定可能な遊技用価値特定情報（会員カードＩＤ、度数）と会員遊技者を個々に特定可能な会員識別情報（会員ＩＤ）とが記録されたカード形状を為す会員用記録媒体（会員カード３７）を受付けて、該受付けた会員用記録媒体に記録されている前記遊技用価値特定情報並びに会員識別情報を読み出す会員用記録媒体読み出し手段（カードリーダライタ３２７）と、該会員用記録媒体読み出し手段にて読み出した前記遊技用価値特定情報から特定される遊技用価値の大きさの少なくとも一部を遊技に使用させるとともに、該使用させる遊技用価値の大きさを減算更新した新たな遊技用価値の大きさを前記遊技用価値特定情報から特定可能とする会員遊技使用処理（貸出処理）を行う会員遊技使用処理手段（制御ユニット３２８）と、貨幣（紙幣）を受付けて、該受付けた貨幣の真贋と貨幣種別とを識別する貨幣識別手段（紙幣識別ユニット３２２）と、遊技に使用可能な遊技用価値（度数）の大きさを特定可能な遊技用価値特定情報（ビジタコインＩＤ、度数）が記録された円盤状（コイン形状）の円盤型記録媒体（ビジタコイン３８）を受付け、該受付けた円盤型記録媒体に記録されている前記遊技用価値特定情報の少なくとも読み出しを行う円盤型記録媒体読み出し手段（コインリーダライタ３２４、カードリーダライタ３２７）と、前記貨幣識別手段にて貨幣を受付けたときに、該貨幣識別手段にて識別された識別金額の範囲内の所定額に相当する遊技用価値（度数）の大きさを、前記円盤型記録媒体読み出し手段に保持している前記円盤型記録媒体の遊技用価値特定情報から特定可能とする遊技用価値特定可能化処理手段｛制御ユニット３２８（ビジタコイン発行処理）｝と、前記円盤型記録媒体読み出し手段にて読み出した前記遊技用価値特定情報から特定される遊技用価値の大きさの少なくとも一部を遊技に使用させるとともに、該使用させる遊技用価値の大きさを減算更新した新たな遊技用価値の大きさを前記遊技用価値特定情報から特定可能とする非会員遊技使用処理（ビジタコイン使用処理、貸出処理）を行う非会員遊技使用処理手段｛制御ユニット３２８（ビジタコイン使用処理、貸出処理）｝と、前記円盤型記録媒体を返却するための返却操作を遊技者より受付けるための返却操作手段（返却ボタン１５）と、前記円盤型記録媒体の遊技用価値特定情報から特定される遊技用価値の大きさが残存するときに、前記返却操作手段にて返却操作を受付けたことに基づいて、前記円盤型記録媒体読み出し手段に保持している円盤型記録媒体を遊技者に返却するための返却手段（制御ユニット３２８）と、を備え、前記返却手段は、前記円盤型記録媒体読み出し手段における円盤型記録媒体の保持を解除する解除手段（保持片１１２、ソレノイド１１３）と、該解除手段にて保持を解除された円盤型記録媒体を自重による転動にて返却口（コイン返却口３１３）へ導くための返却通路（１０３）と、を有する。
【０１５４】
本発明の請求項２は、複数の前記円盤型記録媒体（ビジタコイン３８）を収納するための円盤型記録媒体収納部（収納通路１０１）と、該円盤型記録媒体収納部に収納されている円盤型記録媒体を前記円盤型記録媒体読み出し手段に供給するための供給手段（制御ユニット３２８、供給ユニット３２３）と、を備え、前記供給手段は、前記円盤型記録媒体収納部に収納された円盤型記録媒体の収納状態を解除する収納解除手段（スプロケット１２０）と、該収納状態を解除された円盤型記録媒体を自重による転動にて前記円盤型記録媒体読み出し手段へ導くための供給通路（１０２）とを含む。
【０１５５】
本発明の請求項３は、前記円盤型記録媒体の投入を受付ける投入口（コイン投入口３０３）と、前記投入口から投入された円盤型記録媒体（ビジタコイン３８）に記録されている前記遊技用価値特定情報（度数）の少なくとも読み出しを行う受付け用記録媒体読み出し手段（コインリーダライタ３２４）と、該投入口から投入された円盤型記録媒体を前記受付け用記録媒体読み出し手段に導くための受付け通路（コイン投入通路１００）と、を備え、前記非会員遊技使用処理手段｛制御ユニット３２８（ビジタコイン使用処理、貸出処理）｝は、前記受付け用記録媒体読み出し手段（コインリーダライタ３２４）にて読み出した遊技用価値特定情報（ビジタコインＩＤ、度数）に基づいて前記非会員遊技使用処理（ビジタコイン使用処理、貸出処理）を行い、前記受付け通路と前記円盤型記録媒体収納部（収納通路１００）と前記供給通路（１０２、移送通路１２３）とが連通する一本状の通路により形成され、前記投入口から投入された円盤型記録媒体の遊技用価値特定情報から特定された遊技用価値の大きさが残存するときに前記返却操作（返却ボタン１５の操作）を受付けたことに基づいて、該残存する遊技用価値の大きさを前記円盤型記録媒体読み出し手段（カードリーダライタ３２７）にて保持する円盤型記録媒体の遊技用価値特定情報から特定可能とするための記録媒体交換処理（ビジタコイン使用処理）を実施する記録媒体交換処理手段（制御ユニット３２８）を備え、該記録媒体交換処理後において前記円盤型記録媒体読み出し手段に保持されている円盤型記録媒体を、前記返却手段（制御ユニット３２８、保持片１１２、ソレノイド１１３、返却通路１０３）により遊技者に返却する。
【０１５６】
本発明の請求項４は、前記遊技用価値特定情報は遊技用価値（度数）の大きさを含み、前記受付け用記録媒体読み出し手段（コインリーダライタ３２４）並びに前記円盤型記録媒体読み出し手段（カードリーダライタ３２７）は、円盤型記録媒体（ビジタコイン３８）への記録情報の書き込み機能を有し、前記記録媒体交換処理手段｛制御ユニット３２８（ビジタコイン使用処理）｝は、投入された円盤型記録媒体に記録されている遊技用価値の大きさを前記受付け用記録媒体読み出し手段にて初期化（度数を０度数にする）したことを条件に、前記円盤型記録媒体読み出し手段にて保持する円盤型記録媒体に、前記残存する遊技用価値の大きさを記録する。
【０１５７】
本発明の請求項５は、前記円盤型記録媒体読み出し手段（カードリーダライタ３２７）は、前記会員用記録媒体（会員カード３７）が配置される会員用記録媒体配置部（会員カードスロット３５４）と、円盤型記録媒体（ビジタコイン３８）が配置される円盤型記録媒体配置部（供給通路１０２）とを、各記録媒体配置部に配置される各記録媒体が所定の離間距離を有してほぼ並行に配置されるように設けるとともに、前記各記録媒体の読み出し又は書き込みを非接触にて行うための単一の記録媒体処理部（通信基板３５６）を、前記会員用記録媒体配置部と円盤型記録媒体配置部との間に有する。
【０１５８】
以上、本発明の実施例を図面により説明してきたが、具体的な構成はこれら実施例に限られるものではなく、本発明の要旨を逸脱しない範囲における変更や追加があっても本発明に含まれる。
【０１５９】
例えば、前記実施例においては、ビジタコイン発行処理や、前記記録媒体交換処理が行われるまでは、収納通路１０１内に収納されているビジタコイン３８はカードリーダライタ３２７における保持位置Ｔ２に供給されないようになっていたが、本発明はこれに限定されるものではなく、保持位置Ｔ２に保持していたビジタコイン３８が返却ボタン１５の返却操作に基づいて返却されたことを条件に、新たなビジタコイン３８を保持位置Ｔ２に供給するようにしてもよい。
【０１６０】
すなわち、制御ユニット３２８が、コイン投入口３０３から投入されたビジタコイン３８に度数が残存するときに返却ボタン１５の返却操作を受付けたことに基づいて、該残存度数をカードリーダライタ３２７にて保持するビジタコイン３８の遊技用価値特定情報から特定可能とするための前記記録媒体交換処理を実施する際において、カードリーダライタ３２７にて保持するビジタコイン３８は、前記実施例のように、当該記録媒体交換処理を実施する際に供給ユニット３２３を介して保持位置Ｔ２に供給されて保持されてもよいし、当該記録媒体交換処理を実施する前に既に保持位置Ｔ２に供給されて保持されていてもよい。
【０１６１】
また、前記実施例においては、カードユニット３において使用される会員カード３７やビジタコイン３８に記録されている遊技用価値特定情報となる会員カードＩＤやビジタコインＩＤに対応付けて、該会員カード３７やビジタコイン３８に残存する遊技用価値である度数を図示しないシステムコントローラにて記憶、管理する、すなわち、会員カード３７やビジタコイン３８に記録されている遊技用価値特定情報としての会員カードＩＤやビジタコインＩＤに基づいて、これら会員カード３７やビジタコイン３８に記録されている遊技用価値の大きさとしての度数を特定するようになっていたが、会員カード３７やビジタコイン３８に記録されている遊技用価値の大きさとしての度数を該度数の使用や入金に基づいて逐次更新するようにし、これら会員カード３７やビジタコイン３８に記録されている遊技用価値としての度数を遊技用価値特定情報としてもよい。
【０１６２】
また、前記実施例においては、ビジタコイン使用処理において、コイン投入口３０３から投入されてコインリーダライタ３２４における保持位置Ｔ１に保持されているビジタコイン３８に記憶されている度数データをコインリーダライタ３２４にて読み出して記憶した後、当該ビジタコイン３８に記憶されている度数データを０度数とした後に収納通路１０１内に回収するようになっていたが、本発明にあっては、保持位置Ｔ１に保持されているビジタコイン３８の度数データを初期化できるようになっていれば、残存度数を０度数とするものに限定されるものではなく、度数データを消去（クリア）するようにしてもよい。
【０１６３】
また、前記実施例においては、会員カード３７またはビジタコイン３８が受付け中であるときに、紙幣を受付けることができるようになっていたが、貨幣の他の一例である硬貨を受付けできるようにしてもよい。
【０１６４】
また、前記実施例における供給手段としての供給ユニット３２３は、収納解除手段が円周の一部に切欠凹部１２０ａを有するスプロケット１２０にて構成されていたが、収納通路１０１内のビジタコイン３８を１枚ずつ供給通路１０２に送り出すことができる手段であれば、前記スプロケット１２０に限定されるものではなく、種々に変更可能である。
【０１６５】
また、前記実施例における解除手段は、ソレノイド１１３の励磁及び解除により通路内に出退自在な保持片１１２にて構成されていたが、保持位置Ｔ２にビジタコイン３８を保持及び解除できる手段であれば、前記保持片１１２に限定されるものではなく、前記スプロケット１２０等であってもよく、種々に変更可能である。
【０１６６】
また、本実施例における円盤型記録媒体収納部は収納通路１０１にて構成されていたが、例えば供給手段の収納解除手段により収納されたビジタコインを１枚ずつ供給通路１０２に送り出すことができるようになっていれば、通路状の収納部でなくてもよい。
【０１６７】
また、本実施例におけるカードユニット３は、投入口３０３から投入されたビジタコイン３８をコインリーダライタ３２４にて受付けた後、返却操作があるまでは新たなビジタコイン３８を受付け可能であり、ビジタコイン３８を受付けるごとに該受付けたビジタコイン３８に記録されている度数を前記ＲＡＭ３３０に記録されている残存度数に加算更新するようになっているが、ビジタコイン３８を１枚受付けた後、当該ビジタコイン３８の残存度数が全て使用し尽くされるまでは、新たなビジタコイン３８を受付けないようにしてもよい。
【０１６８】
また、本実施例におけるカードユニット３は、投入口３０３から投入されたビジタコイン３８をコインリーダライタ３２４にて受付けたときに、該受付けたビジタコイン３８の残存度数をＲＡＭ３３０に記憶した後に該ビジタコイン３８に記録されている度数を０度数として収納することで、コインリーダライタ３２４にて受付けたビジタコイン３８の度数が０度数とされる前に当該投入したビジタコイン３８を引き抜いて繰り返し使用するといった不正行為を防止しているが、返却操作を受付けたときに、コインカードリーダ３２４にて受付けたビジタコイン３８の残存度数を０度数として収納し、コインカードリーダ３２４にて受付けた当該ビジタコイン３８の残存度数をカードリーダライタ３２７に保持しているビジタコイン３８に記録して返却するようにしてもよい。すなわち、受付けたビジタコイン３８の残存度数の初期化や収納通路１０１への収納は、カードリーダライタ３２７に保持しているビジタコイン３８に残存度数を記録する前段階であれば任意に変更可能である。
【符号の説明】
【０１６９】
３                カードユニット
１００            コイン投入通路
１０１            収納通路
１０２            供給通路
１０３            返却通路
３２４            コインリーダライタ
３２３            供給ユニット
３２７            カードリーダライタ
３２８            制御ユニット
１１０、１１２    保持片
【図１】
2010259849.tif 000003
【図２】
2010259849.tif 000004
【図３】
2010259849.tif 000005
【図４】
2010259849.tif 000006
【図５】
2010259849.tif 000007
【図６】
2010259849.tif 000008
【図７】
2010259849.tif 000009
【図８】
2010259849.tif 000010
【図９】
2010259849.tif 000011
【図１０】
2010259849.tif 000012
【図１１】
2010259849.tif 000013
【図１２】
2010259849.tif 000014
【図１３】
2010259849.tif 000015
【図１４】
2010259849.tif 000016
【図１５】
2010259849.tif 000017